(57)【要約】  電子的設計の有用な未テスト状態を特定するコンピュータ実装されるシステムおよび方法は、少なくとも１つのアナログ部分から少なくとも部分的に構成される電子的設計の表現のネットリストを少なくとも１つパースすることと、少なくとも１つのネットリストに基づいて少なくとも１つの計装ポイントを決定することと、少なくとも１つの計装ポイントに基づいて少なくとも１つの計装されたネットリストを生成することと、少なくとも１つの計装されたネットリストを利用してアナログ検証カバレッジを決定することとを備える。
2017516224.tif 000002
【特許請求の範囲】
【請求項１】
電子的設計の計装のコンピュータ実装される方法であって、
少なくとも１つのアナログ部分から少なくとも部分的に構成される前記電子的設計の表現のネットリストを少なくとも１つパースすることと、
前記少なくとも１つのネットリストに基づいて少なくとも１つの計装ポイントを決定することと、
前記少なくとも１つの計装ポイントに基づいて少なくとも１つの計装されたネットリストを生成することと、
前記少なくとも１つの計装されたネットリストを利用してアナログ検証カバレッジを決定することと、
を備える方法。
【請求項２】
前記電子的設計の少なくとも一部にアナログ部分を有する前記電子的設計のコンピュータ可読表現をコンピュータによって受信することと、
前記少なくとも１つの仕様に基づいて少なくとも１組の正当な状態を生成することと、
前記電子的設計の検証カバレッジ履歴を少なくとも１つ受信することと、
前記少なくとも１つの仕様、前記少なくとも１つの計装されたネットリスト、前記少なくとも１組の正当な状態、および前記少なくとも１つの検証カバレッジ履歴、のうち少なくとも１つに少なくとも部分的に基づいて、少なくとも１つの有用な未テスト状態を特定することと、
前記少なくとも１つの計装されたネットリスト、前記少なくとも１つの検証カバレッジ履歴、および、少なくとも１組の正当な状態、のうち少なくとも１つに少なくとも部分的に基づいて、検証完全性を評価することと
をさらに備える、請求項１に記載の電子的設計の計装のコンピュータ実装される方法。
【請求項３】
前記少なくとも１つの検証カバレッジ履歴および少なくとも１つの入力ベクトルを相関させるステップをさらに備える、請求項２に記載の電子的設計の計装のコンピュータ実装される方法。
【請求項４】
前記少なくとも１つの有用な未テスト状態を最小化するために、前記少なくとも１つの入力ベクトルの最小数を決定するステップをさらに備える、請求項３に記載の電子的設計の計装のコンピュータ実装される方法。
【請求項５】
前記少なくとも１つの入力ベクトルの前記最小数を前記電子的設計の前記表現の行動的レベルにおいてシミュレートするステップをさらに備える、請求項３に記載の電子的設計の計装のコンピュータ実装される方法。
【請求項６】
前記行動的レベルシミュレーションにおいて測定出力を評価するステップをさらに備え、前記評価は前記少なくとも１組の正当な状態に少なくとも部分的に基づく、請求項５に記載の電子的設計の計装のコンピュータ実装される方法。
【請求項７】
前記少なくとも１つの入力ベクトルの前記最小数を、前記電子的設計の前記表現の、トランジスタレベルおよび行動的レベルのうち少なくとも一方において、シミュレートするステップをさらに備える、請求項６に記載の電子的設計の計装のコンピュータ実装される方法。
【請求項８】
前記トランジスタレベルシミュレーションにおいて前記測定出力を相関させるステップをさらに備え、前記相関は前記行動的レベルシミュレーションにおける前記測定出力に少なくとも部分的に基づく、請求項７に記載の電子的設計の計装のコンピュータ実装される方法。
【請求項９】
少なくとも１つの刺激および少なくとも１つの刺激主張のうち少なくとも一方を受信するステップをさらに備える、請求項２に記載の電子的設計の計装のコンピュータ実装される方法。
【請求項１０】
少なくとも１つの出力測定値および少なくとも１つの出力主張のうち少なくとも一方を受信するステップをさらに備える、請求項２に記載の電子的設計の計装のコンピュータ実装される方法。
【請求項１１】
少なくとも１つのシミュレーションのカバレッジ貢献を少なくとも１つ示すデータを捕捉するために前記少なくとも１つの計装されたネットリストを修正するステップをさらに備える、請求項２に記載の電子的設計の計装のコンピュータ実装される方法。
【請求項１２】
電子的設計の計装のコンピュータ実装される方法であって、
前記電子的設計の少なくとも一部にアナログ部分を有する前記電子的設計のコンピュータ可読表現をコンピュータによって受信するステップと、
前記電子的設計の前記表現に少なくとも部分的に基づいて少なくとも１つの計装されたネットリストを生成するステップと、
前記電子的設計の仕様を少なくとも１つ受信するステップと、
前記少なくとも１つの仕様に基づいて少なくとも１組の正当な状態を生成するステップと、
前記少なくとも１つの計装されたネットリストを利用してアナログ検証カバレッジを決定するステップと、
を備える方法。
【請求項１３】
前記少なくとも１つの計装されたネットリストをシミュレートし、
前記シミュレーションに部分的に基づいて前記電子的設計の検証カバレッジ履歴を少なくとも１つ生成し、
前記少なくとも１つの仕様、前記少なくとも１つの計装されたネットリスト、前記少なくとも１組の正当な状態、および前記少なくとも１つの検証カバレッジ履歴、のうち少なくとも１つに少なくとも部分的に基づいて、少なくとも１つの有用な未テスト状態を特定する、
請求項１２に記載の電子的設計の計装のコンピュータ実装される方法。
【請求項１４】
前記検証カバレッジ履歴および前記少なくとも１組の正当な状態に少なくとも部分的に基づいて、検証完全性を評価するステップをさらに備える、請求項１３に記載の電子的設計の計装のコンピュータ実装される方法。
【請求項１５】
前記少なくとも１つの検証カバレッジ履歴および少なくとも１つの入力ベクトルを相関させるステップをさらに備える、請求項１３に記載の電子的設計の計装のコンピュータ実装される方法。
【請求項１６】
前記少なくとも１つの計装されたネットリストの前記シミュレーションは行動的レベルにおいて実行される、請求項１３に記載の電子的設計の計装のコンピュータ実装される方法。
【請求項１７】
前記有用な未テスト状態を最小化するために少なくとも１つの入力ベクトルの最小数を決定するステップをさらに備える、請求項１６記載の電子的設計の計装のコンピュータ実装される方法。
【請求項１８】
前記電子的設計の前記表現のトランジスタレベルおよび行動的レベルのうち少なくとも一方、前記少なくとも１つの入力ベクトルの前記最小数をシミュレートするステップをさらに備える、請求項１７に記載の電子的設計の計装のコンピュータ実装される方法。
【請求項１９】
行動的レベルシミュレーションにおいて測定出力を評価するステップをさらに備え、前記評価は前記少なくとも１組の正当な状態に少なくとも部分的に基づく、請求項１８に記載の電子的設計の計装のコンピュータ実装される方法。
【請求項２０】
前記トランジスタレベルシミュレーションにおいて前記測定出力を相関させるステップをさらに備え、前記相関は前記行動的レベルシミュレーションにおける前記測定出力に少なくとも部分的に基づく、請求項１９に記載の電子的設計の計装のコンピュータ実装される方法。
【請求項２１】
電子的設計の計装のコンピュータ実装される方法であって、
前記電子的設計の少なくとも一部に、少なくとも１つのデジタル部分および少なくとも１つのアナログ部分を有する、前記電子的設計のコンピュータ可読表現をコンピュータによって受信するステップと、
前記電子的設計の前記表現に少なくとも部分的に基づいて、少なくとも１つの計装されたネットリストを生成するステップと、
前記電子的設計の仕様を少なくとも１つ受信するステップと、
前記少なくとも１つの仕様に基づいて、少なくとも１組の正当な状態を生成するステップと、
前記電子的設計の検証カバレッジ履歴を少なくとも１つ受信するステップと、
前記少なくとも１つの仕様、前記少なくとも１つの計装されたネットリスト、前記少なくとも１組の正当な状態、および、前記少なくとも１つの検証カバレッジ履歴、のうち少なくとも１つに少なくとも部分的に基づいて、検証の完全性を評価するステップと、
を備える、方法。
【請求項２２】
前記少なくとも１つの検証カバレッジ履歴および少なくとも１つの入力ベクトルを相関させるステップをさらに備える、請求項２１に記載の電子的設計の計装のコンピュータ実装される方法。
【請求項２３】
検証の完全性を前記評価することを最大化するために前記少なくとも１つの入力ベクトルの最小数を決定するステップをさらに備える、請求項２２に記載の電子的設計の計装のコンピュータ実装される方法。
【請求項２４】
前記少なくとも１つの入力ベクトルの前記最小数を、前記電子的設計の前記表現の行動的レベルにおいてシミュレートするステップをさらに備える、請求項２３に記載の電子的設計の計装のコンピュータ実装される方法。
【請求項２５】
前記行動的レベルシミュレーションにおいて測定出力を評価するステップをさらに備え、前記評価は前記少なくとも１組の正当な状態に少なくとも部分的に基づく、請求項２４に記載の電子的設計の計装のコンピュータ実装される方法。
【請求項２６】
前記少なくとも１つの入力ベクトルの前記最小数を、前記電子的設計の前記表現のトランジスタレベルにおいてシミュレートするステップをさらに備える、請求項２５に記載の電子的設計の計装のコンピュータ実装される方法。
【請求項２７】
前記トランジスタレベルシミュレーションにおける前記測定出力を相関させるステップをさらに備え、前記相関は前記行動的レベルシミュレーションにおける前記測定出力に少なくとも部分的に基づく、請求項２６に記載の電子的設計の計装のコンピュータ実装される方法。
【請求項２８】
過渡的でないコンピュータ可用媒体に実施されるコンピュータプログラム製品であって、
前記過渡的でないコンピュータ可用媒体は命令の列を記憶しており、
前記命令の列が少なくとも１つのプロセッサによって実行されると、前記命令の列は、前記少なくとも１つのプロセッサに電子的設計の有用な未テスト状態を特定する方法を実行させ、
前記方法は、
前記電子的設計の少なくとも一部にアナログ部分を有する、前記電子的設計のコンピュータ可読表現をコンピュータによって受信するステップと、
前記電子的設計の前記表現に少なくとも部分的に基づいて、少なくとも１つの計装されたネットリストを生成するステップと、
前記電子的設計の仕様を少なくとも１つ受信するステップと、
前記少なくとも１つの仕様に基づいて、少なくとも１組の正当な状態を生成するステップと、
少なくとも１つの入力ベクトルの最小数において、前記少なくとも１つの計装されたネットリストを、前記電子的設計の前記表現の行動的レベルにおいてシミュレートするステップと、
前記シミュレーションに少なくとも部分的に基づいて前記電子的設計の検証カバレッジ履歴を少なくとも１つ生成するステップと、
前記少なくとも１つの仕様、前記少なくとも１つの計装されたネットリスト、前記少なくとも１組の正当な状態、および、前記少なくとも１つの検証カバレッジ履歴、のうち少なくとも１つに少なくとも部分的に基づいて、有用な未テスト状態を特定するステップと、
を備える、コンピュータプログラム製品。
【請求項２９】
行動的レベルシミュレーションにおいて測定出力を評価することであって、前記評価は前記少なくとも１組の正当な状態に少なくとも部分的に基づく、評価することと、
前記少なくとも１つの検証カバレッジ履歴および前記少なくとも１つの入力ベクトルを相関させることと
をさらに備える、請求項２８に記載の電子的設計の有用な未テスト状態を特定する方法を実行するためのコンピュータプログラム製品。
【請求項３０】
前記少なくとも１つの入力ベクトルの前記最小数を、前記電子的設計の前記表現のトランジスタレベルにおいてシミュレートするステップをさらに備える、請求項２９に記載の電子的設計の有用な未テスト状態を特定する方法を実行するためのコンピュータプログラム製品。
【請求項３１】
トランジスタレベルシミュレーションにおいて前記測定出力を相関させるステップをさらに備え、前記相関は前記行動的レベルシミュレーションにおける前記測定出力に少なくとも部分的に基づく、請求項３０に記載の電子的設計の有用な未テスト状態を特定する方法を実行するためのコンピュータプログラム製品。
【請求項３２】
少なくとも１つの出力測定値を受信し少なくとも１つの出力主張を受信するステップをさらに備える、請求項３１に記載の電子的設計の有用な未テスト状態を特定する方法を実行するためのコンピュータプログラム製品。
【請求項３３】
少なくとも１つのアナログテストハーネスモデルを受信するステップをさらに備える、請求項３２に記載の電子的設計の有用な未テスト状態を特定する方法を実行するためのコンピュータプログラム製品。
【請求項３４】
電子的設計の有用な未テスト状態を特定するコンピュータ実装される方法であって、
前記電子的設計の少なくとも一部にアナログ部分を有する前記電子的設計の表現を受信するステップと、
前記電子的設計の仕様を少なくとも１つ受信するステップと、
前記少なくとも１つの仕様によって限定される少なくとも１組の正当な状態を生成するステップと、
前記電子的設計の検証履歴を少なくとも１つ受信するステップと、
前記少なくとも１つの仕様、前記少なくとも１組の正当な状態、および、前記少なくとも１つの検証履歴、のうち少なくとも１つに少なくとも部分的に基づいて、有用な未テスト状態を特定するステップと
を備える、方法。
【請求項３５】
前記電子的設計の製造プロセスバリエーションを少なくとも１つ受信することと、
前記電子的設計の機能的バリエーションを少なくとも１つ受信することと
をさらに備える、請求項３４に記載の有用な未テスト状態を特定するコンピュータ実装される方法。
【請求項３６】
前記少なくとも１つの製造プロセスバリエーションおよび前記少なくとも１つの機能的バリエーションに少なくとも部分的に基づく有用な未テスト状態を前記特定すること、請求項３５に記載の有用な未テスト状態を特定するコンピュータ実装される方法。
【請求項３７】
少なくとも１つの刺激および少なくとも１つの刺激主張のうち少なくとも一方を受信するステップをさらに備える、請求項３４に記載の有用な未テスト状態を特定するコンピュータ実装される方法。
【請求項３８】
少なくとも１つの出力測定値および少なくとも１つの出力主張のうち少なくとも一方を受信するステップをさらに備える、請求項３４に記載の有用な未テスト状態を特定するコンピュータ実装される方法。
【請求項３９】
少なくとも１つのアナログテストハーネスモデルを受信するステップをさらに備える、請求項３４に記載の有用な未テスト状態を特定するコンピュータ実装される方法。
【請求項４０】
シミュレーションの出力を少なくとも１つ解析するステップをさらに備える、請求項３４に記載の有用な未テスト状態を特定するコンピュータ実装される方法。
【請求項４１】
前記少なくとも１つの検証履歴と、前記少なくとも１つの仕様の抽象化の少なくとも１レベルとのうち少なくとも一方に少なくとも部分的に基づいて、検証状態カバレッジを特定するステップをさらに備える、請求項３４に記載の有用な未テスト状態を特定するコンピュータ実装される方法。
【請求項４２】
過渡的でないコンピュータ可用媒体上に実装されるコンピュータプログラム製品であって、
前記過渡的でないコンピュータ可用媒体は命令の列を記憶しており、
前記命令の列がプロセッサによって実行されると、前記命令の列は、前記プロセッサに電子的設計の有用な未テスト状態を特定する方法を実行させ、
前記方法は、
少なくとも１つのアナログ部分から少なくとも部分的に構成される前記電子的設計の表現を受信するステップと、
前記電子的設計の仕様を少なくとも１つ受信するステップと、
前記電子的設計の前記少なくとも１つのアナログ部分の製造プロセスバリエーションを少なくとも１つ受信するステップと、
前記電子的設計の前記少なくとも１つのアナログ部分の機能的バリエーションを少なくとも１つ受信するステップと、
前記少なくとも１つの仕様、前記少なくとも１つの製造プロセスバリエーション、および、前記少なくとも１つの機能的バリエーション、のうち１つによって限定される少なくとも１組の正当な状態を生成するステップと、
を備える、コンピュータプログラム製品。
【請求項４３】
前記電子的設計の前記少なくとも１つのアナログ部分の検証履歴を少なくとも１つ受信することと、
前記少なくとも１つの仕様、前記少なくとも１組の正当な状態、前記少なくとも１つの製造プロセスバリエーション、前記少なくとも１つの機能的バリエーション、および、前記少なくとも１つの検証履歴、のうち少なくとも１つに少なくとも部分的に基づいて、有用な未テスト状態を特定することと
をさらに備える、請求項４２に記載のコンピュータプログラム製品。
【請求項４４】
前記少なくとも１つの検証履歴および前記少なくとも１組の正当な状態に少なくとも部分的に基づいて、検証完全性を評価することをさらに備える、請求項４３に記載のコンピュータプログラム製品。
【発明の詳細な説明】
【技術分野】
【０００１】
［関連出願への相互参照］
本願は、米国仮出願第６１／９９１，０６９号明細書（２０１５年５月９日に出願され、「COMPUTER IMPLEMENTED SYSTEM AND METHOD OF IDENTIFICATION OF USEFUL UNTESTED STATES OF AN ELECTRONIC DESIGN」と題するもの。代理人整理番号ZPLG-32197）の利益を主張する。当該出願の明細書は、その全体が参照により本明細書に援用される。
【０００２】
［背景］
本方法およびシステムは、概して、アナログおよび混合信号集積回路の検証に関する。本方法およびシステムは、検証の完全性を評価し、有用な未テスト状態(useful untested states)を特定するために電子的設計を計装すること(instrumenting）においてとくに有用であるが、これに限られない。
【０００３】
電子的設計自動化(electronic design automation)（ＥＤＡ）は、電子的ブロックを設計するためのソフトウェアである。いくつかの広い種類の電子的信号と、コンポーネントおよびブロックとが存在する（デジタルと、アナログと、混合信号と呼ばれるデジタルおよびアナログの混合物と）。電子的設計は概して回路情報の以下のレベルのうち少なくとも１つを含む。すなわち、システムレベル、アーキテクチャレベル、データフローレベル、電気的レベル、デバイスレベル、テクノロジーレベル、および／または同様のものである。
【０００４】
デジタル信号は、離散的な入出力値「０」および「１」（離散的な時刻値において発生し、典型的にはクロック信号に結び付けられる）を有する。デジタル信号を入出力するデジタルコンポーネントは、典型的には、静的なピン出力および相互作用プロトコルを有する。デジタルコンポーネントを備えるデジタルブロックは、しっかりと確立されしっかりと文書化された物理的レイアウトおよび電気的相互作用を有する。デジタルブロック用のシミュレータは、離散時間イベント駆動型のシミュレータである。
【０００５】
アナログ信号は、概して、時間とともに変化し得る連続的な入出力値を有する。アナログコンポーネントは、典型的には、入力、出力、トリガ、バイアス、等を変更するためにカスタマイズ可能なレイアウトを有する。したがって、カスタマイズによっては、アナログコンポーネントを備えるアナログブロックは、デジタル回路ほどしっかりと確立されるかまたはしっかりと文書化された物理的レイアウトや電気的相互作用を有しない場合がある。アナログブロック用のシミュレータは、概して、連続時間領域シミュレータを必要とする。
【０００６】
混合信号ブロックは、シミュレートされるコンポーネント内のデジタル信号ブロックおよびアナログ信号ブロックの組み合わせである。シミュレーションのために利用可能な最も一般的なオプションは、コンポーネントをアナログブロックのグルーピングとしてシミュレートすることか、または、アナログコンポーネント／ブロックおよびデジタルコンポーネント／ブロックを個別に解析して、デジタル領域とアナログ領域との境界における入出力を領域間通信のために翻訳することである。
【０００７】
ＥＤＡ内では、回路レビューの、２つの大きなしばしば関連するカテゴリ（シミュレーションおよび検証）がある。シミュレーションは、回路の行動(behavior)を予測する数的解の集合である。検証は、関連する条件のもとで（機能的検証）、および、製造プロセスのバリエーションにわたって（パラメータ的検証）、回路の行動を記述することのシステマティックな追求である。したがって、検証は、概して、シミュレーションに比べて、回路、その動作条件、製造動作バリエーションの、はるかに広範囲なレビューを必要とする。回路の機能性を、いかなる実質的程度にも検証することなく、多数回のシミュレーションを実行することが可能である。検証は、ある範囲の条件にわたる回路性能の評価および回路の行動の数学的モデル化である。究極的には、検証の成功の測度は、回路設計がいかにうまく回路仕様に適合しているかを報告することである。アナログおよび混合信号検証メソドロジーは、増大し続けるアナログおよび混合信号回路の、複雑さ、コスト、および計算的要求についていくのに苦労している。
【０００８】
検証テストケースの数および複雑さは、アナログおよび混合信号設計の複雑さとともに増大する。加えて、回路のサイズが増大するにつれて、シミュレーションスピードが低下し、メモリ使用量が増加する。このように、回路を検証するための計算処理パワーは、回路の複雑さとともに劇的に増加する可能性がある。検証は、通常、スケジュールの遅延がもっとも深刻だと思われる設計サイクルの最後に行われるということが、この問題をより苦痛あるものとしている。このように、検証は、概して設計サイクル全体のうち小部分のためにかなりの量のシミュレーション処理パワーを必要とする活動であり、したがって、タイム・ツー・マーケット要求(time to market demand)を満たすために、概して検証資源の効率的な使用が必要とされる。
【０００９】
今日の複雑な検証ソリューションは、関連する条件下で回路の動作が完全かつ効率的に検証されることを保証するための検証活動に具体的にエンジニアリングを絞っている。この絞りこまれたアナログおよび混合信号検証は、デジタル検証よりもはるかに、手作業・経験により駆動される。この散発的な対話式アナログ検証は、会社にリスクを残す。本開示により、より高い抽象度で検証タスクを定義できる可能性がある。本開示により、刺激または刺激主張(stimulus assertion)と、出力測定値または出力主張(output assertion)との間の複雑な関係を効率的に捕捉できる可能性がある。本開示により、トランジスタレベル回路、行動的モデル(behavioral model)をもって実装された回路、または、行動的モデルとトランジスタレベル実装との組み合わせを含む回路のテストが可能になる可能性がある。アナログおよび混合信号回路をモデル化するために現在用いられる方法は、正当な状態を行使する(exercise the valid states)ための検証実行回数を最小化するためには効率的ではない。これは、少なくとも部分的には、ネットリストは、行使される状態を効率的に記録するためには不十分に計装されているという事実に起因する。ネットリストは、電子的設計の接続性を記述する。電子的設計の正当な有用な未テスト状態を特定するためにネットリストを計装することが、長期にわたって要請されていた。
【００１０】
アナログおよび混合信号回路の頑強な検証は、概して、シミュレーションを加速するために用い得るテストベンチ、性能評価ルーチン、およびマクロモデルへのかなりの投資を必要とする。この付帯事実の複雑さは、検証すべきアナログおよび混合信号集積回路の複雑さにつれて増大する。設計チームが設計資源を追加すると、それは設計のコストに加えて検証資源の追加も必要とする。会社が製品を市場に出そうと努力している時には、設計サイクルの最後に課される不可避の時間的制約に起因して、これらの資源の効率的な使用が最優先事項となる。
【００１１】
電子製造業界における現在の技術の軌跡は、ますます単一チップ設計（システムズ・オン・ア・チップ(Systems on a Chip)（ＳｏＣ）または複数のチップが１つのパッケージに含まれるマルチチップモジュール（ＭＣＭ）と呼ばれる）に向かいつつある。ほとんどのシステムズ・オン・ア・チップおよびマルチチップモジュールは、概して、あるレベルの混合信号検証を必要とする。このことは、混合信号設計がサイズおよび複雑さにおいて増大するにつれて、ファーストパス設計(first pass design)の成功を保証し、タイム・ツー・マーケットを短縮するために、検証に追加の負担を発生させる。アナログおよび混合信号ＡＳＩＣ設計の複雑さは、ムーアの法則に従ってきたが、設計検証における技術革新は概してそうではない。
【００１２】
本開示の、ネットリストを計装する方法は、正当な状態をテストするために必要最小限の検証実行を確実にするために、貴重な設計時間および計算資源と、高価なシミュレータ資源とに具体的に焦点を当てることができる。本方法は、大局的な検証の評価をより効率的にする。結果として得られる最小化された実行リストは、より効率的な資源の利用を可能にする。
【００１３】
本開示は、アナログおよび混合信号（Ａ／ＭＳ）特定アプリケーション向け集積回路（ＡＳＩＣ）のための電子的設計のネットリストを計装することに関する。アナログおよび混合信号集積回路は、多くの現代的な電子的デバイスに存在し、それらの回路は製造の前にシミュレーションを介して検証される必要がある。
【００１４】
［概要］
本開示の、電子的設計の有用な未テスト状態を特定するコンピュータ実装されるシステムおよび方法の単なる一例の実施の形態およびその態様によれば、少なくとも１つのアナログ部分から少なくとも部分的に構成される電子的設計の表現の、少なくとも１つのネットリストをパースすることと、少なくとも１つのネットリストに基づいて少なくとも１つの計装ポイントを決定することと、少なくとも１つの計装ポイントに基づいて少なくとも１つの計装されたネットリストを生成することと、少なくとも１つの計装されたネットリストを利用してアナログ検証カバレッジを決定することとを備えるが提供される。
【００１５】
本開示は、以下の詳細な説明および図面を考慮することにより、より明確に理解される。
【図面の簡単な説明】
【００１６】
【図１】本開示の事例を実施するのに適したコンピュータシステムを示すブロック図である。
【図２】本開示の事例を実施するのに適したコンピュータネットワークシステムを示すブロック図である。
【図３】低電圧損失（ＬＤＯ）回路の例を示す図である。
【図４】増幅回路の例を示す図である。
【図５】増幅器用のテストベンチピン出力を示す図である。
【図６】一般的な階層構造の例を示す図である。
【図７】インスタンスパースされたテスト階層構造例を示す図である。
【図８】電源管理集積回路用の第１のテストベンチ例を示す図である。
【図９】電源管理集積回路用の第２のテストベンチ例を示す図である。
【図１０】電源管理集積回路用の第３のテストベンチ例を示す図である。
【図１１】簡単なＭＯＳＦＥＴ電流シンクの例を示す図である。
【図１２】カスケードＭＯＳＦＥＴ電流シンクの例を示す図である。
【図１３】電子的設計のマルチプレクサおよびオペアンプの例を示す図である。
【図１４】電子的設計のＢレベル例を示す図である。
【図１５】電子的設計のＤレベル例を示す図である。
【図１６】電子的設計の階層構造の例を示す図である。
【図１７】電子的設計のＥレベル例を示す図である。
【図１８】電子的設計の有用な未テスト状態を特定するコンピュータ実装される方法の第１の例を示す図である。
【図１９】電子的設計の有用な未テスト状態を特定する第１の例が追加で備えてもよい追加ステップを示す図である。
【図２０】電子的設計の有用な未テスト状態を特定する第１の例が追加で備えてもよい追加ステップを示す図である。
【図２１】電子的設計の有用な未テスト状態を特定するコンピュータ実装される方法の第２の例を示す図である。
【図２２】電子的設計の有用な未テスト状態を特定する第２の例が追加で備えてもよい追加ステップを示す図である。
【図２３】電子的設計の有用な未テスト状態を特定するコンピュータ実装される方法の第３の例を示す図である。
【図２４】電子的設計の有用な未テスト状態を特定する第３の例が追加で備えてもよい追加ステップを示す図である。
【図２５】電子的設計の有用な未テスト状態を特定するコンピュータ実装される方法の第４の例を示す図である。
【図２６】電子的設計の有用な未テスト状態を特定する計装の第４の例が追加で備えてもよい追加ステップを示す図である。
【図２７】電子的設計の有用な未テスト状態を特定するための過渡的でないコンピュータ可用媒体上に実施されるコンピュータプログラム製品の第５の例を示す図である。
【図２８】電子的設計の有用な未テスト状態を特定するための過渡的でないコンピュータ可用媒体上に実施されるコンピュータプログラム製品の第５の例が追加で備えてもよい追加ステップを示す図である。
【図２９】電子的設計の有用な未テスト状態を特定するコンピュータベースのシステムの第６の例を示す図である。
【図３０】電子的設計の有用な未テスト状態を特定するためのシステム例の図である。
【発明を実施するための形態】
【００１７】
詳細な説明中の参照符号は、様々な図中の類似の参照符号に対応する（そうでないと断った場合を除く）。書面中で用いられる記述的および方向的用語（右、左、後、頂点(top)、底、上側、側面、他）は、とくに断らない限り、紙上に配置された通りの図面自体を参照し、本開示の物理的限定を参照しない。各図はスケールを示すものではなく、図示され論じられる例の特徴のいくつかは、本開示の原理および特徴と、利点とを例示するために、単純化または誇張されている。
【００１８】
［詳細な説明］
本開示の特徴および他の詳細は、以下に、添付図面への参照とともにより詳細に記載される。添付図面には、開示される事項の様々な例示が示されおよび／または記載される。本明細書に記載される特定の例は、本開示の限定としてではなく、例として示されるということが理解される。さらに、開示される事項は、本明細書に記載されるいずれかの例に限定されると考えるべきではない。これらの例は、本開示が完全かつ完結したものとなり、開示される事項の範囲を当業者に十分に伝えるように提供される。本開示の本質的特徴は、本開示の範囲から逸脱することなく、様々な例において採用し得る。
【００１９】
本明細書において用いられる用語法は、特定の例を記述することのみを目的としており、開示される事項の限定としては意図されていない。全体を通して、類似した番号は類似した要素を参照する。本明細書において用いられる用語「および／または(and/or)」は、関連して列挙される事項のうち１つ以上の任意の組み合わせすべてを包含する。また、本明細書において用いられる単数形「a」、「an」および「the」は、複数形も同様に含むことを意図される（ただしそうでないことを文脈が明確に示す場合を除く）。さらに、本明細書において用いられる場合、用語「備える」（"comprises" および／または "comprising"）および「含む」（"comprises" および／または "comprising"）は、記述された特徴、整数(integers)、ステップ、動作、要素、および／またはコンポーネントの存在を特定するが、他の特徴、整数、ステップ、動作、要素、コンポーネント、および／またはこれらの群のうち１つ以上の存在または追加を排除しないということが理解される。また、本明細において用いられる相対的用語（第１の、第２の、頂点(top)、底(bottom)、左、右、等）は、１つの主体または動作を別の主体または動作と区別するためだけに用いられる場合があり、必ずしもそのような主体または動作の間の実際の関係または順序を要求または示唆するものではない。
【００２０】
アナログおよび混合信号ＩＣ設計への参入障壁のコストは、とくに自社工場を持たない会社（パッケージされたＡＳＩＣの形で、または顧客のシステムズ・オン・ア・チップ（ＳｏＣｓ）またはマルチチップモジュール（ＭＣＭｓ）に集積されるべきモジュールの形で、ＡＳＩＣ知的財産を開発する会社）に特有のものである。たとえば、自社工場を持たない設計センターに５人のＩＣ設計エンジニアが配置されている場合には、そのチームに設計ツールを持たせることは、人員を４倍にするのと財務的に等価である。これは、ＥＤＡツールを所有することの高いコスト（毎年のライセンス料、設置およびサポート、トレーニング等に限られない）に起因する。正当な状態の検証データを捕捉するためのネットリストの計装を通じてシステムの使用を縮小することは、より効率的な資源配置を可能にする。
【００２１】
アナログおよび混合信号検証は、時間・計算集約的である。回路が仕様に合わせて機能することを保証するためには、概して、様々な条件および様々な製造条件における様々な入力に対する回路の機能性をシミュレートすることが必要となる。
【００２２】
電子的設計のシミュレーションを実行する前に、電子的設計は、電子的設計の接続性を記述するネットリストへの変換を受ける。この回路の接続性を記述するネットリストは、、回路に関するメタデータは含まない。
【００２３】
本開示の、電子的設計の計装のシステムおよび方法は、検証に関するメタデータを捕捉するためにネットリストを計装する。捕捉されたメタデータにより、仕様からの正当な状態の生成とともに、電子的設計の検証の完了を評価できるようになる。
【００２４】
ＡＭＳＴＴＭ（アナログ混合信号テスト）(Analog Mixed Signal Test)は、アナログ／混合信号（Ａ／ＭＳ）刺激と、主張および出力測定値とを特定するためのモジュールである。ＡＭＳＴは、刺激および出力主張の間の複雑な関係を効率的に捕捉することができる。ＡＭＳＴ言語（ＡＭＳＴＬＴＭ）において特定される検証モデルは、比較的高レベルのコマンド（続いてＶｅｒｉｌｏｇ−Ａ／ＡＭＳへと翻訳される）を捕捉する。それぞれ、Ｖｅｒｉｌｏｇ−Ａ、Ｖｅｒｉｌｏｇ−ＡＭＳ、ＶＨＤＬ−ＡＭＳ、ＳｙｓｔｅｍＣ−ＡＭＳ等（アナログおよび混合信号を定義するための標準化された言語である）である。このコードは、アナログシミュレータのための直接分岐貢献ステートメントをサポートする任意の言語標準規格を生成するために用いることもできるということが想像される。
【００２５】
ＡＭＳＴＬは、結果として生じる翻訳されたコードが、回路の行動的モデルにおいて用いられるか、テストハーネスにおいて用いられるかに関わらず、ＩＢＣＳを伴う比較的高レベルのコマンドを捕捉するために用いることができる。ＡＭＳＴ内の主張を捕捉すること（回路の行動的モデルにおけるものではなく）の価値は、回路の表現に関わらず、検証コマンドを再利用できるということである。たとえば、図１７において、ＡＭＰ＿ＡＭＳＴブロックは、オペアンプおよびマルチプレクサが、トランジスタレベルの結線図として表現されているか、行動的モデルとして表現されているかに関わらず、同じコマンドおよび主張を実行する。このときＡＭＰ＿ＡＭＳＴは、これらの回路とともに再利用可能な検証知的財産（ＶＩＰ）としての役割を果たす。このコンセプトは、第三者にアナログ設計知的財産（ＩＰ）を提供する場合を考えると、とくに貴重となる。購入者は、購入したＩＰとともにより大きなＳＯＣ内に埋め込むことができる検証ＩＰを有する。このＶＩＰは、購入した設計ＩＰが不適切に使用されるリスクを低減する。検証ＩＰは、デジタル回路およびトップレベルの入出力について証明されたコンセプトであるが、埋め込まれたアナログＩＰとともに提供することはこれまで実用的ではなかった。
【００２６】
言語ＡＭＳＴＬは、アナログ混合信号集積回路設計について、行動、刺激、出力、測定値、等を記述することを意図しており、アナログシミュレータに入力することを意図される標準的なハードウェア記述言語において利用可能なものより高いレベルのコンストラクトを提供する。利点の１つは、ＡＭＳＴＬにおいてＩＢＣＳが利用可能であることに基づく効率の改善である。加えて、ＡＭＳＴＬコードは、任意の所望の標準言語を出力するためにパースすることができる。モジュールＡＭＳＴは、アナログ混合信号検証知的財産の行動的モデルであり、設計内の階層構造の任意のレベルに存在するよう意図される。モジュールは、それが監視している、刺激している、および／または、評価しているＩＰとともに存在することができる。モデルの出力形式（Ｖｅｒｉｌｏｇ−Ａ、Ｖｅｒｉｌｏｇ−ＡＭＳ、ＶＨＤＬ−ＡＭＳ、等）は、ネットリストを介して、アナログまたは混合信号シミュレータに入力可能である。
【００２７】
ネットリストは、
１）コンポーネントの記述（たとえば、トランジスタ、抵抗器、コンデンサ、行動的モデル、ＡＭＳＴ、デジタルゲート）および設計を組み立てるコンポーネントの属性（たとえばＰＭＯＳ２はＷ＝１ｕｍを有する）
２）設計の接続性（たとえば、ＰＭＯＳ１のドレインはＮＭＯＳ２のゲートへの接続である）
３）特定のシミュレーションタスクに対する設計の階層構造の構成（たとえば、ＰＬＬ１はモデルとして表現され、ＬＤＯ３はトランジスタレベルで表現される）
４）シミュレーションタスクの構成（シミュレーションタイプ（たとえば過渡シミュレーション）、持続時間（たとえば２ｍｓ）、許容度設定（たとえばｉａｂｓｔｏｌ＜１０ｅ−１０）、デジタルパーティションとアナログパーティションとの間のインタフェース要素の構成、および、出力信号選択を含む）
５）検証データベースにおける任意の情報（予測性能値、信号遷移、信号形状、デューティサイクル、等）（検証活動に関する任意の信号または要素のもの）
を含むがこれらに限定されないシミュレーションタスクおよび検証プロジェクトに関する情報を含む１つ以上のデータベースの表現である。
【００２８】
ネットリストは、シミュレーションへの入力である。シミュレーションの目的は、ネットリストにおいて指定される刺激条件および精度基準のもとで、ネットリストに記述される回路の行動を予測することである。ａ）集積回路（ＩＣ）設計のためのフォトマスクは非常に高価であり、ｂ）ＩＣの製造は長時間を要し、ｃ）ＩＣ内部の信号を調べることは極めて困難であり、ｄ）現代のＩＣ設計のブレッドボーディングは非実用的であるので、シミュレーションは集積回路（ＩＣ）設計の必須部分である。シミュレーションはシミュレータで実行される。高レベルでは、集積回路をシミュレートする手法が３つあり、すなわち、ＳＰＩＣＥレベルシミュレーション、デジタルレベルシミュレーション、および、混合モードシミュレーション、である。ＳＰＩＣＥレベルシミュレータは、ネットリストを、暗黙積分法(implicit integration method)、ニュートン法、およびスパース行列技法（sparse matrix technique）を用いて解かれる連立非線形微分代数方程式へと縮小する。ＳＰＩＣＥレベルシミュレータは、絶対的または相対的許容度の組のもとで、電荷(charge)を保存し、キルヒホッフの電流法則およびキルヒホッフの電圧法則を満たす。デジタルシミュレータは、ネットリストを、離散的なイベントによってトリガされるブール関数の組へと縮小する。デジタルシミュレータは、電荷を保存せず、キルヒホッフの電流法則およびキルヒホッフの電圧法則を満たさない。しかしながらそれらは、はるかに大規模な回路を、より高い抽象度のレベルでシミュレートできる。混合モード（ＡＭＳ）シミュレーションは、ＳＰＩＣＥレベルシミュレータをデジタルシミュレータと組み合わせる。このタイプのシミュレーションでは、設計の一部をシミュレートするためにＳＰＩＣＥレベルシミュレータが用いられ、ＳＰＩＣＥレベルパーティション内のコンポーネントのネット電圧および端子電流を予測し、一方で、デジタルパーティション内のコンポーネントのデジタル出力を予測するためにデジタルシミュレータが用いられる。混合モードシミュレーションでは、ＳＰＩＣＥレベルパーティションとデジタルレベルパーティションとは、インタフェース要素（基本的レベルでは、（ＳＰＩＣＥパーティションからデジタルパーティションへと向かう信号については）理想化された１ビットアナログ・デジタル変換器であり、（デジタルパーティションからＳＰＩＣＥパーティションへと向かう信号については）１ビットデジタル・アナログ変換器である）で接続される。
【００２９】
シミュレーションは、以下の出力を生成し得る。
１）ネット電圧および端子電流の連続時間／連続値波形
２）論理ネット出力の離散時間／離散値デジタル波形
３）ネットリストに含まれていた任意のＡＭＳＴモジュールを含む任意の行動的モデルによって書かれた任意のデータ
４）主張違反メッセージ
５）モデル行動についてのデバッグ情報、回路収束困難度、等
【００３０】
シミュレーションからのこれらの出力は、１つ以上のデータベースに記憶される。これらの出力は、後に、回路の安定性を評価するために用いられる。このプロセスは手動であってもよい。設計者は、たとえば、波形をグラフィカル波形ビューワーでレビューすることができる。このプロセスは自動化されてもよい。ソフトウェアプログラムは、スペックコンプライアンス行列（回路シミュレーションにおいて満足された設計目的の組および失敗した設計目的の組を要約する）を構築するために、波形結果およびＡＭＳＴ出力をプログラムに従って解析することができる。
【００３１】
計装ポイントは、
１）ネットリスト内の任意のコンポーネント（たとえば、トランジスタ、抵抗器、コンデンサ、行動的モデル）、または、
２）設計の接続性のなんらかの態様を定義する任意のネット、または、
３）１つ以上のコンポーネントおよびゼロ以上のネットからなる任意の組、または、
４）ゼロ以上のコンポーネントおよび１つ以上のネットからなる任意の組、
であってもよい。
【００３２】
計装ポイントは、以下の３つの方法の１つで作成することができる：
１）システムのユーザにより手動で指定される。この使用シナリオでは、ユーザが計装ポイントを手動で特定する。これはユーザの概略捕捉環境(schematic capture environment)から達成可能である。簡単な例として、ユーザは計装ポイントとして２つのネットを選択することができる。計装モジュール（ＡＭＳＴと呼ばれる）は、Ｖｅｒｉｌｏｇ−Ａ／ＡＭＳまたは他の任意のハードウェア記述言語において実装可能である。計装モジュールにおいて、ユーザは、形状、行動、または２つのネット間の伝達関数（望ましいまたは望ましくないモードまたは動作を特定する）を指定することができる。多数のネットからなるより複雑な例が図１７に示される。指定されれば、ソフトウェアはこれらの望ましいまたは望ましくない行動のカバレッジを追跡することができる。
２）プログラムに従って記述されたパターンからプログラムに従って特定される。アナログおよび混合信号回路は、繰り返すトポロジカルパターンを有することが頻繁にある（図１１のＭ１およびＭ２からなる電流ミラー等）。このトポロジーでは、特定の条件が満たされれば、Ｍ２を通る電流はＩ＿ＲＥＦの固定比率となる。これらのトポロジーは、プログラムに従って特定可能であり、これらのトポロジーに対する主張またはＡＭＳＴは自動的に生成可能であり、これらの主張またはＡＭＳＴは、そのトポロジカルパターンに対するカバレッジを測定するために自動的に計装可能である。回路機能を特定するための静的パターンは、回路トポロジー（具体的なデバイスの端子間の具体的な接続）、デバイス名およびタイプ、デバイス属性（デバイスモデル名等）、ネット名およびネット属性（ネット幅等）を組み込むことができる。
３）集約された解析的情報からプログラムに従って導出される。ネットリストコンストラクトの静的な解析は、回路機能を導出するためのメカニズムとして限定されている（同一の回路トポロジーを（様々なバイアスまたは刺激を伴って）様々なアプリケーションに用いることが可能だからである）。この問題を克服するために、既知の良好なシミュレーション結果等の履歴的(historical)解析的情報から、追加の計装ポイントが導出可能である。たとえば、プログラムが、図１２の電流ミラーからシミュレーション結果を解析し、Ｍ４のソースからドレインに流れる電流が特定の範囲内にあると判断し、より大規模な設計における回路のこの具体的なインスタンスについて自動的に主張またはＡＭＳＴを生成する。これらの主張またはＡＭＳＴは、その後、トポロジカルパターンに対するカバレッジを測定するために自動的に計装することができる。
【００３３】
計装は、異なる２つの方法で達成することができる：
１）既存の行動的モデルおよびＡＭＳＴの計装。行動的モデルおよび手書きの(hand-written)ＡＭＳＴは、回路の所望の機能の数学的記述を捕捉するので非常に有用である。行動的モデルは、所望の機能を直接的に実装する。ＡＭＳＴは、指定された刺激に対する回路の反応をテストする主張の組を介して、回路機能を間接的に記述する。いずれも、ａ）モデルにおいて条件付き分岐ステートメントの実行を追跡すること、および／または、ｂ）モデルにおいて実装される任意の伝達関数を個別の領域に分割し、各領域の使用を追跡すること、によってカバレッジのために計装可能である。条件付き分岐ステートメントの簡単な例は、Ｖｅｒｉｌｏｇ−Ａ／ＡＭＳにおけるｉｆ−ｔｈｅｎ−ｅｌｓｅ節である。カバレッジを測定するために、ソフトウェアは、各行動的モデルの各インスタンスの条件付き分岐のうちいくつが実行されたかを、検証シミュレーションにおいて追跡する。モデルから結果として得られる伝達関数もまた、伝達関数、その１次、２次、３次、４次、または任意のｎ次の導関数におけるいかなる不連続性をも特定するために解析可能である。任意の特定された不連続性が、モデルを複数の動作領域(regions of operation)にパーティショニングするために用いられる。カバレッジを測定するために、ソフトウェアは、各モデルの各インスタンスについて到達した動作領域の数を、検証シミュレーションにおいて追跡する。
２）計装されたＡＭＳＴの自動的挿入。トランジスタレベルの回路については、所望の機能は常に既知であるわけではない。上述のように、計装ポイントに対するＡＭＳＴモジュールは、ネットリストの統計的解析から、または、集約された解析的情報（既知の良好なシミュレーション結果、シミュレーション構成、ユーザ入力、または観測されたユーザ行動を組み込むことができる）から、自動的に生成可能である。モジュールが生成されると、それは、その新たなモジュールのインスタンスをネットリストの適切な部分に追加し、電圧測定ネットを接続し、電流測定が必要な任意のネットを接続することにより、ネットリストに追加可能である。接続されたら、ＡＭＳＴは上述のように計装可能である。
【００３４】
したがって、本開示の電子的設計の計装の翻訳のシステムおよび方法は、以下の課題のうち１つ以上を解決する可能性がある。すなわち、低減された検証実行オーバーラップを介してコンピュータおよび人的資源のより効率的な使用ができるようにすること、マーケットまでのタイムラグを短縮すること、および／または、より焦点を絞ったより完全な検証確認を確実にすること、である。
【００３５】
コンピュータシステム図１は、本開示が実装可能なシステムアーキテクチャ（たとえば例示のコンピュータシステム１００）を示す。図１の例示的なコンピュータシステムは、説明のためだけのものである。本記載は、特定のコンピュータシステム（パーソナルコンピュータ等）を記載する際に一般的に用いられる用語を参照する場合があるが、本記載およびコンセプトは、他のシステム（図１には類似しないアーキテクチャを有するシステムを含む）にも同等に当てはまる。
【００３６】
コンピュータシステム１００は、典型的には、中央処理装置（ＣＰＵ）１１０（１つ以上のマイクロプロセッサによって実装されてもよい）と、情報の一時的記憶のためのランダムアクセスメモリ（ＲＡＭ）１１２と、情報の永続的記憶のための読み出し専用メモリ（ＲＯＭ）１１４とを含む。ＲＡＭを制御するためにメモリ制御装置１１６が提供される。バス１１８が、コンピュータシステムのコンポーネントを相互接続する。バスを制御するために、バス制御装置１２０が提供される。システムのコンポーネントからの様々な割り込み信号を受け取って処理するために、割り込み制御装置１２２が用いられる。フラッシュ１２４、ＤＶＤ１２６、またはハードディスク１２８、またはたとえばソリッドステートドライブによって、大容量記憶が提供されてもよい。リムーバブルメディア（フラッシュドライブおよびＤＶＤ等）を介して、コンピュータシステムとデータおよびソフトウェアを交換してもよい。フラッシュドライブは、ユニバーサルシリアルバス（ＵＳＢ）ドライブ１３０に挿入可能であり、ユニバーサルシリアルバス（ＵＳＢ）ドライブ１３０は制御装置１３２によってバスに接続される。同様に、ＤＶＤはＤＶＤドライブ１３４に挿入可能であり、ＤＶＤドライブ１３４は制御装置１３６によってバスに接続される。ハードディスクは固定ディスクドライブ１３８の一部であり、固定ディスクドライブ１３８は制御装置１４０によってバスに接続される。
【００３７】
コンピュータシステムに対するユーザ入力は、いくつかのデバイスによって提供可能である。たとえば、キーボード１４２およびマウス１４４が制御装置１４６によってバスに接続される。オーディオ変換器１４８（マイクロホンおよびスピーカとして作用してもよい）は、図示のようにオーディオ制御装置１５０によってバスに接続される。他の入力デバイス（ペンおよび／またはタブロイド等）がバスおよび適切な制御装置およびソフトウェアに接続されてもよい。システムＲＡＭへの直接のメモリアクセスを行うために、ＤＭＡ制御装置１５２が提供される。
【００３８】
ビデオディスプレイ１５６を制御するビデオサブシステム１５４によって、視覚的表示が生成される。コンピュータシステムは、通信アダプタ１５８（ローカルエリアネットワーク（ＬＡＮ）またはワイドエリアネットワーク（ＷＡＮ）または他の適切なネットワーク（概略的にバス１６０およびネットワーク１６２によって示される）にシステムが相互接続できるようにするもの）も含む。
【００３９】
コンピュータシステムの動作は、概して、オペレーティングシステム（いくつか例を挙げれば、Microsoft Corporationから入手可能なウィンドウズ（登録商標）、ウィンドウズ７およびウィンドウズ８オペレーティングシステム、Ｕｎｉｘ（登録商標）、Ｌｉｎｕｘ（登録商標）またはＡｐｐｌｅ  ＯＳ  Ｘオペレーティングシステム）によって制御され調和される。オペレーティングシステムは、システム資源の割り当てを制御し、とくに、スケジューリング処理、メモリ管理、ネットワーキング、Ｉ／Ｏサービス等のタスクを実行する。
【００４０】
コンピュータシステム図２は、システム２００を示す。システム２００では、コンピュータユーザ２１０がネットワーク２１２に接続され、ネットワーク２１２がクラウド２１４および計算ファーム２１６に接続される。
【００４１】
検証／解析されるべき回路の概略例において、低電圧損失（ＬＤＯ）３００回路が図３に示される。ＬＤＯは増幅器Ａ１を有する。増幅器Ａ１は、反転入力（「−入力」）と、非反転入力（「＋入力」）と、出力と、正電圧入力「＋Ｖ」と、負電圧入力「−Ｖ」とを有する。ＬＤＯ回路は、電圧入力Ｖｉｎと、電圧出力Ｖｏｕｔとを有する。ＬＤＯは、電力出力ブロックＱ１、Ｑ２およびＲ２を有する。ＬＤＯフィードバック回路は、Ｒ３、Ｒ４、Ｄ１およびＲ１からなる。増幅器Ａ１はシンボルと呼ばれ、要素Ｄ１、Ｒ１、Ｒ２、Ｒ３、Ｒ４、Ｃ１、Ｃ２、Ｑ１およびＱ２はプリミティブと呼ばれる。
【００４２】
増幅器Ａ１  ４００回路の概略例は、図４に示される。増幅器のシンボルは、トランジスタＱ３、Ｑ４、Ｑ５、Ｑ６、Ｑ７およびＱ８と、抵抗器Ｒ５とを備える。反転入力（「−入力」）と、非反転入力（「＋入力」）と、出力と、正電圧入力「＋Ｖ」と、負電圧入力「−Ｖ」とを有する増幅器Ａ１。
【００４３】
図５は、増幅器Ａ１  ５１０のためのテストベンチ５００を示す。テストベンチは、それが接続されたデバイスのために実行される、入力、出力、テスト条件等の具体的な構成である。テストベンチは、反転入力５１２と、非反転入力５１４と、正電源入力５１６と、負電源入力５１８と、出力５２０とを有する。テストベンチは、関連付けられた接続、電源供給、ＩＯ、等を有し、これらはテストベンチコラテラル（test bench collateral）と呼ばれる。回路の周縁のまわりの部分は、検証ハーネスと呼ばれる。ピン出力および検証ハーネスの動作は、テストされる回路に整合する必要がある。
【００４４】
図６は、テスト中のデバイス(Device under test)（ＤＵＴ）を伴うテストベンチの一般的な階層構造の例６００を示す。階層構造はレベルＡ、Ｂ、Ｃおよびデバイスに従って、また、インスタンス１、２および３に従って配列される。接続線は、具体的な検証に対し、階層構造を通してどのモデルどうしが接続されているかを示す。レベルおよびインスタンス内で、複数のビュータイプが存在可能である。これらの例は、各ケースおよびビューまたはビュータイプに限定することを意図するものではなく、いくつかの可能な階層構造構成を示すものである。
【００４５】
集積回路設計階層構造は、階層構造表現を利用した集積回路設計の表現である。この表現により、数百万個のコンポーネント（トランジスタ、抵抗器、コンデンサ、デバイスを接続する金属線、等）を含み得る複雑なデザインの、より効率的な作成が可能になる。設計プロセスの任意の時点において用いられる設計階層構造表現は、実行される設計ステップおよび設計機能のタイプ（アナログ、デジタル、メモリ、等）に基づいて異なり得る。
【００４６】
設計が製造されるべきである場合には、表現をマッピングできるように設計のレイアウトが作成される。このマッピングにより、設計製造が可能になるように、マスクセットの個々のレベル上にパターンが作成できるようになる。概して、レイアウト表現を作成するための設計フローは、デジタル機能ブロックおよびサブシステムに比べて、アナログの場合には非常に異なったものとなる。
【００４７】
設計プロセスの早期において、設計の大きな部分が、はじめて設計され既存のレイアウト表現を持たずに存在する可能性がある。設計の他の部分はすでに証明されている可能性があり、これらはより高いレベルの抽象度において表現されてもよく（または組み合わせで）レイアウト表現を含んでもよく、同じ設計所から来ないストックアイテムであってもよい。
【００４８】
本明細書において「ビュー」として参照される、いくつかの共通のタイプ(common type)の設計表現は、様々なビュータイプを備えてもよい。概略ビュータイプは、線またはネットで示される接続性を伴うブロックまたはコンポーネントと、ピンを介した階層構造の他のレベルへの接続との絵(picture)である。Ｓｐｉｃｅビュータイプは、コンポーネントとその関連付けられたパラメータとの表現であり、場合によっては、ｓｐｉｃｅネットリストへとインスタンス化される具体的なデバイスモデルを含む。ＬＶＳＥｘｔｒａｃｔは、ツール（レイアウトビューを解析するとともに、個別のコンポーネントおよび接続性をリバースエンジニアリングするもの）によって作成されるビュータイプである。このタイプのビューのバリエーションは、物理的レイアウトの結果として得られる、設計者によっては描かれなかった抽出された寄生的コンポーネントを含んでもよい。レイアウトビュータイプは、設計のその部分に対するルーティング(routing)を含む具体的な幾何学的配置の表現である。ＶｅｒｉｌｏｇＴＭビュータイプは、標準化されたＶｅｒｉｌｏｇＴＭ形式のテキストファイルである。Ｖｅｒｉｌｏｇ−ＡＴＭビュータイプは、標準化されたＶｅｒｉｌｏｇ−ＡＴＭ文法のテキストファイルである。Ｖｅｒｉｌｏｇ−ＡＭＳＴＭビュータイプは、標準化されたＶｅｒｉｌｏｇ−ＡＭＳＴＭ文法のテキストファイルである。ビュータイプの名称は、電子的設計自動化ツールプロバイダによって異なり得るが、例としてＳｐｅｃｔｒｅＨＤＬおよびＨＤＬ−Ａを含む。
【００４９】
他のビュータイプのタイプは、階層構造の組織化および可読性を支援してもよい。一例として、概略的キャプチャシステム等のグラフィック設計ツールは、配置されたグラフィックについてシンボルビュータイプを用いてもよい。シンボルは、階層構造を介してインスタンスを接続するピンと、ブロックの機能を示す図面とを含んでもよい。各例は演算増幅器、基本的デジタルゲート、トランジスタ、抵抗器、等に対する共通のシンボルを含む。
【００５０】
記載の複雑性にさらに加えて、設計階層構造の、あるレベルにおける所与のブロックは、同一ビュータイプのビューを複数含んでもよい。一例は、あるブロックの様々なＶｅｒｉｌｏｇＴＭ表現（たとえば、１つはレイアウトに基づく注釈付きタイミングを伴うもの、１つは推定タイミングを伴うもの、１つはタイミングを伴わないもの）であるか、または、設計表現の様々なレベル（ゲートレベル、レジスタ転送レベル（ＲＴＬ）、等）である。同様に、アナログビューは多数の概略ビューを有してもよい（たとえば、最終トランジスタレベル設計にマッピングするもの、より高いレベルのモデリングのための行動的ブロックの配置を含むもの、レイアウトからの寄生的要素を含み得るもの、混合信号シミュレーションのためのアナログブロックとデジタルブロックとの間のインタフェース要素を含むもの）。また、アナログブロックについて、様々なシミュレーションエクササイズの目的に基づいてモデルが様々な機能性および精度を含む場合には、同一のブロックに対して複数のＶｅｒｉｌｏｇ−ＡＴＭまたはＶｅｒｉｌｏｇ−ＡＭＳＴＭモデルビューが存在してもよい。これら複数のビューおよびビュータイプは、具体的なタスクまたは解析のために用いられる構成にマッピングされる。
【００５１】
しばしば、ある具体的なビューがどのタイプの解析のために有益な可能性があるかについてのヒントを提供するために、ビュー名称が作成される。ビュー名称は、以下にリストされるもの等を含んでもよい。Ｓｃｈｅｍａｔｉｃは、トランジスタレベルまたは行動的モデル等の階層構造のいずれかのレベルにおいて評価され得るブロックの配置を含む概略ビューである。Ｓｃｈｅｍａｔｉｃ＿ｂｅｈａｖｉｏｒａｌは、行動的要素を備える概略ビューである。Ｓｃｈｅｍａｔｉｃ＿ｐａｒａｓｉｔｉｃｓは、レイアウトから抽出または推定される寄生的コンポーネントを含む概略ビューである。Ｓｐｉｃｅは、ネットリストに実装される情報と、具体的なアナログシミュレータのためのコンポーネントとを含むｓｐｉｃｅビューである。Ｂｅｈａｖｉｏｒａｌ＿ｖａは、Ｖｅｒｉｌｏｇ−ＡＴＭを評価し得るアナログシミュレータのための具体的なブロックをモデル化するＶｅｒｉｌｏｇ−ＡＴＭ形式のテキストビューであり、Ｂｅｈａｖｉｏｒａｌ＿ｖａｍｓは、Ｖｅｒｉｌｏｇ−ＡＴＭおよびＶｅｒｉｌｏｇを評価し得る混合信号シミュレータのための具体的なブロックをモデル化するＶｅｒｉｌｏｇ−ＡＭＳＴＭ形式のテキストビューである。
【００５２】
図６に示す具体例では、テスト中のデバイスＡ１、インスタンス１を伴う一般的な階層構造の例が、後続の構成に基づいて定義される：Ａ１、インスタンス１およびＢ１、インスタンス１は、Ｓｃｈｅｍａｔｉｃレベルモデルによってモデル化される。Ｂ２、インスタンス１は、Ｓｃｈｅｍａｔｉｃ＿ｂｅｈａｖｉｏｒａｌモデルによってモデル化され、Ｃ１、インスタンス１およびＣ２インスタンス１は、Ｓｃｈｅｍａｔｉｃモデルを用いてモデル化される。Ｃ１、インスタンス２およびＣ３、インスタンス１は、Ｂｅｈａｖｉｏｒａｌ＿ｖａモデルによってモデル化される。階層構造の底(bottom)には、デバイス１、２および３、インスタンス１、２および３が、Ｓｐｉｃｅを用いてモデル化される。
【００５３】
図６に示す具体例では、デバイス１、インスタンス２はダミーデバイスであり、したがって、シミュレータマトリックスを変更しない。デバイス１、インスタンス２は、ダミーデバイスとして接続されるＣ１、インスタンス１概略内に配置されており、したがって、シミュレータ内にスタンプされるＡ１、インスタンス１マトリックスの一部ではない。
【００５４】
ある変更が、検証の再実行を必要とするか否かは、階層構造を介した接続によって部分的に決定される。一般的な階層構造の例に対するこの具体的な例では（テスト中のデバイスＡ１、インスタンス１）、デバイス１、インスタンス２、Ｓｃｈｅｍａｔｉｃビューが変更されたとしても、このデバイスはダミーデバイスであって、シミュレータ内にスタンプされるマトリックスを修正しないので、シミュレータを再実行する必要はないであろう。
【００５５】
図６に対するビューでは、Ｃ１、インスタンス１  Ｓｃｈｅｍａｔｉｃビューが、シミュレータモデルの構成の一部を形成する。もしこれが変更され、変更がシミュレータマトリックスに影響を与えるのに十分なほど実体的なものであれば、テストベンチ１は再実行する必要があろう。Ｃ１、インスタンス２Ｓｃｈｅｍａｔｉｃビューは、シミュレータモデル例の構成の一部を形成しないので、これが変更されたとしても、テストベンチ１は再実行する必要はないであろう。
【００５６】
より抽象的なレベルでは、Ｃ１、Ｓｃｈｅｍａｔｉｃビューが変更された場合（したがってこれによりインスタンス１および２内の概略ビューが変更される）には、これはシミュレータマトリックス内にスタンプされる情報の変更に影響を与えるので、テストベンチ１は再実行する必要があろう。Ｃ１、Ｓｃｈｅｍａｔｉｃビューに対する非実体的な変更が（たとえばコメントの追加によって）行われ、マトリックス内のシミュレータによってスタンプされる情報に変更が行われなかった場合には、この設計構成は再実行する必要がないであろう。構成に変更が行われたか否かと、マトリックスのスタンプの影響とを決定することは、必要となる検証実行の回数に大きな影響を与えることが明白である。
【００５７】
図７は、電源管理チップＰＭＩＣ７００をモデル化するためにから選択され得る様々なモデルビューのいくつかを示す。ＰＭＩＣ＿ｔｅｓｔｂｅｎｃｈは、Ｂｅｈａｖｉｏｒａｌ＿ｖａｍｓレベルおよびＢｅｈａｖｉｏｒａｌ＿ｖａレベル（刺激および出力を有する）を有する。ＰＭＩＣは、ＳｃｈｅｍａｔｉｃレベルおよびＳｃｈｅｍａｔｉｃ＿ｂｅｈａｖｉｏｒａｌレベルを有する。ＬＤＯ、ＬＤＯイネーブル制御およびバッテリスーパーバイザは、Ｓｃｈｅｍａｔｉｃレベル、Ｓｃｈｅｍａｔｉｃ＿ｂｅｈａｖｉｏｒａｌレベルおよびＢｅｈａｖｉｏｒａｌ＿ｖａｍｓレベルにおいて定義される。電圧基準、ＬＤＯフィードバックおよびＬＤＯ比較器は、ＳｃｈｅｍａｔｉｃレベルおよびＢｅｈａｖｉｏｒａｌ＿ｖａレベルにおいて定義される。ＬＤＯ増幅器は、ＳｃｈｅｍａｔｉｃレベルおよびＳｃｈｅｍａｔｉｃ＿ｐａｒａｓｉｔｉｃｓレベルにおいて定義される。行動的増幅器（Behavioral Amplifier）および行動的バイアス（Behavioral Bias）は、Ｂｅｈａｖｉｏｒ＿ｖａレベルにおいて定義される。ＬＤＯ制御論理は、ＳｃｈｅｍａｔｉｃレベルおよびＶｅｒｉｌｏｇＴＭレベルにおいて定義される。デバイス１〜Ｘは、Ｓｐｉｃｅレベルにおいて定義される。
【００５８】
図８は、電源管理チップ８００のための、図６に記載される電源管理チップＰＭＩＣの第１テスト階層構造を示す。この図は、Ｓｐｉｃｅプリミティブコンポーネント構成が定義されている場合には、階層構造の一部を例示する。このモデルでは、デバイス１、インスタンス２はダミーデバイスであり、シミュレータマトリックスを変更しない。
【００５９】
図９は、電源管理チップ９００のための、図７に記載される電源管理チップＰＭＩＣの第２テスト階層構造を示す。この図は、いくつかのアナログ行動的レベルモデルと、いくつかのＶｅｒｉｌｏｇＴＭ表現と、いくつかのＳｐｉｃｅプリミティブコンポーネントとを伴う可能な混合構成の１つのための階層構造の一部を例示する。
【００６０】
図１０は、電源管理チップ１０００のための、図７に記載される電源管理チップＰＭＩＣの第３テスト階層構造を示す。これらの図は、行動的構成が定義されている場合には、階層構造の一部を例示する。
【００６１】
アナログおよび混合信号回路は、繰り返すトポロジカルパターンを頻繁に有する。図１１および１２は、容易に特定可能なアナログトポロジーのよくある例である。電流ミラー（用途によっては、電流源および電流シンクと呼ばれる）は、回路全体を通して整合したまたは比率化された(ratioed)電流を提供し、したがって、精密な動作を提供するためにアナログ集積回路設計において重要なツールである。図１１は、簡単な電流ＭＯＳＦＥＴ電流ミラーの例を示す。このトポロジーでは、電流Ｉ＿ＯＵＴは、近似的に、Ｉ＿ＲＥＦの固定比率であり、特定のバイアス条件が満たされている場合には電圧に依存しない。
【００６２】
図１２は、カスケード電流シンクの例を示す。カスケード電流ミラー構成は、より高い出力抵抗を生成し、したがって、図１１に示すより簡単な電流源トポロジーに比較すると、いくらかの性能利益を提供する。これら２つの電流ミラーの例に加え、他の多数の基本的なアナログビルディングブロックトポロジーが存在する。他の例は、差動入力トランジスタ対、標準利得ステージ、バンドギャップ構成、を含むがこれらに限定されない。
【００６３】
図１３は、比較的大規模なシステム・オン・ア・チップ（ＳＯＣ）に含まれる増幅器のなんらかの典型的な特徴を持つ演算増幅器の簡単な例を示す。この簡単な例でも、混合信号設計に対する今日の検証困難性の増大する複雑さを実証することができる。簡単なマルチプレクサ（ｍｕｘ）が増幅器に入力を供給する。マルチプレクサに対する制御信号ＩＮ＿ＣＴＲＬが、マルチプレクサブロック内の論理ゲートの列に対するデジタル入力信号として働く。これらのゲートは、２ペアのアナログ入力の間で選択するためにスイッチを制御する（すなわち、ペア１（ＩＮ＿ＰＯＳ＿１およびＩＮ＿ＮＥＧ＿１）およびペア２（ＩＮ＿ＰＯＳ＿２およびＩＮ＿ＮＥＧ＿２）である）。たとえば、論理レベル「０」に等しいＩＮ＿ＣＴＲＬの値は、ＩＮ＿ＰＯＳ＿１およびＩＮ＿ＮＥＧ＿１に接続されたスイッチを閉じることができ、論理レベル「１」のＩＮ＿ＣＴＲＬの値は、ＩＮ＿ＰＯＳ＿２およびＩＮ＿ＮＥＧ＿２に接続されたスイッチを閉じることができる。その後、選択されたアナログ入力はマルチプレクサから出力される。このとき、これらの信号は増幅器入力に接続される。マルチプレクサブロックは、電源供給への接続を有する。このケースでは、アナログ入力がブロックを通過するので、電源供給接続は、アナログ供給電圧ＡＶＤＤおよびＧＮＤに対する。
【００６４】
増幅器ブロックについても、電源供給接続は、アナログ供給電圧ＡＶＤＤおよびＧＮＤに対する。複雑なＳＯＣでは、複数の内部電源供給を有することは珍しいことではないということに注意すべきである。アナログブロックについてすら、異なる電源供給レベルのようなオプションがあり得る。他のケースでは、同一の電圧レベルが供給されてもよいが、供給源の１つは、供給ライン上のいかなるノイズにも敏感な可能性のあるクリティカルなブロックに対して用いられてもよい。よりノイズの多い他のブロック（典型的には、高周波スイッチングのような機能に起因するもの）は、同じ電圧レベルの別の供給源に接続されてもよい。この理由から、デジタルブロックは、ほぼ常に、アナログブロックとは分離して電源供給される。さらに、電力低減の重要さが増しているので、電力供給の一部は様々な動作モードの間にオフにされる。結果として、設計エンジニアは、あるブロックが適切な時間に利用可能な供給源に接続されているということを検証する必要がある場合もある。
【００６５】
比較的大規模なチップ内の別の共通構成は、アナログ機能に必要なバイアス電流の多くを提供する共通ブロックを有することである。この例では、増幅器は１ｕＡバイアス電流のための入力を有する。別の共通オプションは、トリム(trim)および制御またはプログラム可能性に対する信号を含む。この例では、増幅器は、利得値を設定できる２つの制御ビットＧＡＩＮ＿ＣＴＲＬ＜１：０＞と、利得値をわずかに調整する３ビットＧＡＩＮ＿ＴＲＩＭ＜２：０＞とを有する。典型的には、各デバイスがテストされ、製造プロセスのバリエーションを補償して所望の利得値を指定された値になるべく近く整合させるために用いられる時に、トリムが実行される。このケースでは、ＧＡＩＮ＿ＣＴＲＬは、具体的なアプリケーションに対して最良の利得設定をピックするためのプログラム可能性特徴(programmability feature)である。ＥＮＡＢＬＥ信号により、チップが動作している間に増幅器がオンまたはオフになることができる。これらのタイプの制御は、電力消費を最小化するために、チップのクリーンパワーアップシーケンスを可能にするために、および、障害状況中に保護を提供するために、しばしば提供される。
【００６６】
この簡単な例について、検証要件の例がいくつかある。これらの要件は、いくつかのカテゴリに分離することができる：
・動作機能‐増幅器およびマルチプレクサがそれぞれの機能的要件に適合するか
‐マルチプレクサが選択された入力信号を正しくマルチプレクサ出力に通過させるか
‐増幅器がその期待される動作に適合するか（利得、スルーレート(slew rate)、入力範囲、出力範囲、等）
・電源供給およびバイアス
‐ブロックが適切な電源供給に接続され、正しいバイアスを受けるか
‐供給およびバイアスは、期待される時に利用可能なであり、期待される範囲内で動作するか
・制御信号
‐制御信号の全設定について、正しい行動が観測されるか
・障害状況
‐ブロックピンのいずれかが許容または期待される範囲外の態様で行動した時に、ブロックが適切に動作するか、または、その状況があり得ない（他の部分で防止されている）か、処置することを期待されていないか
【００６７】
本開示のコンテキストにおいて、利益の１つは、多数の可能性の組み合わせをステップスルーするプロセスをより効率的に管理することの結果として得られる。最良の例の１つは、多数のデジタル制御またはトリムオプションを単にステップスルーすることである。
【００６８】
比較的大規模なＳＯＣと、このＳＯＣに対するトップレベルテストベンチとのコンテキスト内の簡単な例を考える。このテストベンチは、チップ用の多数のテストベンチのうちの１つであってもよいが、この例は、増幅器のために開発された検証知的財産が、トップレベルテストベンチからでも如何に活用され得るかを示すことができる。図６に示す階層構造的コンセプトは、テストベンチの例がどのようにして構築され得るかを示すために挿すことができる。この例では、図６からのＡ１がトップレベルテストベンチ（チップ、すべての必要な回路またはモデル（システム入力、出力負荷、外部電源供給またはチップのための他のコンポーネントを表す）、テスト構成の各部（ソフトウェアを介してプログラムに従って記述可能なもの）を含む）を表す。この階層構造の例は、図６の図示に読み取ることができる。上述のように、階層構造内の各項目は、利用可能な情報とブロックの意図される目的とに依存して、多くのタイプのビューによって表すことができる。
【００６９】
この例における階層構造の第２レベル（図６のレベル「Ｂ」に相関する）は、このトップレベルテストベンチ内に配置されたすべての要素を含む。最初の要素はチップ自身である。この例では、チップはセルＢ１として識別される。Ｂ２は、チップに対するシステム入力を表すためのモデルまたは回路を含むセルであってもよい。Ｂ３は、チップから見たシステム出力負荷およびシステム提供電源供給を表すモデルまたは回路を含むセルであってもよい。この例では、Ｂ４は、チップのピンに直接または他のブロックに接続するための、任意のブロック内で任意のパラメータ化された機能に対する値を提供するための、および／または、シミュレーション中に具体的な性能を監視し測定するための、ソフトウェアに書かれたブロックである。この簡単な例では、増幅器ブロックの例の比較的低いレベルにおける信号の作成につながる信号のみが含まれる。
【００７０】
この、ソフトウェア内に捕捉可能なブロックＢ４（単数または複数）は、典型的には、集積回路設計をターゲットとした高級言語（ＳｙｓｔｅｍＶｅｒｉｌｏｇ、Ｖｅｒｉｌｏｇ、Ｖｅｒｉｌｏｇ−ＡＭＳ、Ｖｅｒｉｌｏｇ−Ａ、ＳｙｓｔｅｍＣ、ＶＨＤＬ、等）を用いるが、より一般的な言語およびスクリプト（Ｃ、Ｃ＋＋、ＴＣＬ、ＰＥＲＬ、等）を活用してもよい。ソフトウェア部分は、刺激を生成してもよく、既存の回路またはシステムブロックにおけるパラメータ用の設計値を定義してもよく、シミュレーション全体を通して性能を測定し監視してもよい。たとえば、ＳｙｓｔｅｍＶｅｒｉｌｏｇのためのユニバーサル検証手法（Universal Verification Methodology）（ＵＶＭ）は、スコアボード関数を定義し監視するとともに刺激を定義するための共通のコンストラクトを含む。デジタル検証手法もまた、具体的な機能またはプロトコルをターゲットとした検証知的財産（ＶＩＰ）の具体的な部分をいくつか含む。インスタンス化され定義された通信標準規格（ユニバーサルシリアルバス（ＵＳＢ）、シリアル周辺インタフェース（ＳＰＩ）バス、等）は、特定の検証ＩＰ（インタフェースを介してデータを供給するとともに、そのインタフェースがプロトコル標準規格に整合していることをテストし確認するために、検証プロセスの間に活用可能である）を持つからである。この例では、デジタルトリムおよび制御は、ＳＰＩインタフェースを介して、またはチップ自身によって、プログラムされていると想定する。
【００７１】
図１４は、ＳＯＣに対するテストベンチの単純化された例を示す。この例では、ＳＯＣ階層構造は、図１３に示す増幅器およびマルチプレクサを含む。この例は、なんらかの信号が、どのようにして設計のトップレベルから階層構造を介してより低いレベルのサブシステムへと通過し得るかを示す。このテストベンチでは、外部電源供給ＶＤＤ＿ＥＸＴが、ＴＯＰ＿ＡＭＳＴにおいてＶｅｒｉｌｏｇ−Ａコードによって生成されるところである。この場合、ＶＤＤ＿ＥＸＴは、ＳＵＰＰＬＩＥＳ＿ＡＮＤ＿ＯＵＴＰＵＴＳブロックへの入力となる。このブロックは、その後、ＳＯＣに主外部電源供給として接続されるＶＤＤを出力する。入力としては、ＩＮＰＵＴＳブロック内でシステム入力が生成され、その後、ＳＯＣに接続する前にＴＯＰ＿ＡＭＳＴブロックを通過する。入力がテストハーネスを通過することにより、シミュレーションの全体を通して、入力信号の電圧および電流の双方を監視（または他の計算のためのパラメータとして使用）できるようになる。同様に、ＳＯＣからのＶＯＵＴは、ＳＵＰＰＬＩＥＳ＿ＡＮＤ＿ＯＵＴＰＵＴＳブロックに入る前にＴＯＰ＿ＡＭＳＴを通過する。最後に、監視のために、ＳＵＰＰＬＩＥＳ＿ＡＮＤ＿ＯＵＴＰＵＴＳブロックからＴＯＰ＿ＡＭＳＴにＶＯＵＴ＿ＥＸＴが供給される。ＡＭＳＴテストハーネスブロックをどの信号が通過すべきかの決定は、システムと、システム全体を正確に表すためにチップ周辺に要求される回路／モデルの量とに強く依存する。究極的には、それらの決定は、システム設計および検証計画によって駆動される。
【００７２】
図１５は、電子的設計のＤレベル例を示す。階層構造の比較的低いレベルの信号は、それらの信号がトップレベルのピンに持ってこられない限りアクセスできない。チップを表すインスタンスＢ１の階層構造をさらに考えよう。この例では、チップの階層構造における次のレベルは、Ｃ１すなわちＳＯＣ＿ＣＯＲＥと、Ｃ２すなわちＳＯＣ＿ＰＡＤ＿ＲＩＮＧとを含む。その後、Ｄ１すなわちＡＭＰ＿ＣＯＲＥサブシステム、Ｄ２すなわちＰＷＲ＿ＭＧＴ（チップのための電源管理機能）、およびＤ３すなわちＤＩＧ＿ＣＴＲＬ（チップのためのデジタル制御）を見るために、Ｃ１内にプッシュダウンする。ＡＭＰ＿ＣＯＲＥサブシステムは、図１３からの例の増幅器およびマルチプレクサを含む。
【００７３】
図１６は、電子的設計の階層構造の例を示す。ＳＯＣ＿ＴＥＳＴＢＥＮＣＨにおいて、４つのＢレベル部分が存在する。Ｂ１  ＳＯＣ（検証されるチップ）、Ｂ２  ＩＮＰＵＴＳ、Ｂ３  ＳＵＰＰＬＩＥＳ＿ＡＮＤ＿ＩＮＰＵＴＳ、およびＢ４  ＴＯＰ＿ＡＭＳＴである。Ｃレベルには２つの部分が存在する。Ｃ１  ＳＯＣ＿ＣＯＲＥおよびＣ２  ＳＯＣ＿ＰＡＤ＿ＲＩＮＧである。Ｄレベルは、Ｄ１  ＡＭＰ＿ＣＯＲＥ、Ｄ２  ＰＷＲ＿ＭＧＴ、およびＤ３  ＤＩＧ＿ＣＴＲＬを含み、Ｅレベルは、Ｅ１  ＭＵＸ、Ｅ２  ＡＭＰ、およびＥ３  ＡＭＰ＿ＡＭＳＴを含む。この階層構造の例の全体を通して、計装ポイントが追加可能である。
【００７４】
図１７は、電子的設計のＥレベルの例を示す。ＡＭＰ＿ＣＯＲＥサブシステム内へとさらに降下することにより、サブシステム要素（Ｅ１すなわちＭＵＸ、Ｅ２すなわちＡＭＰ、およびＥ３すなわちＡＭＰ＿ＡＭＳＴ（このサブシステムに対する検証ＩＰを含むＶｅｒｉｌｏｇＡＭＳブロック））が示される。ＡＭＰ＿ＡＭＳＴは、ＡＭＰ＿ＣＯＲＥ階層構造内の信号のために計装を追加する便利なポイントを提供する。例は、増幅器制御信号がすべて行使されたか、および、増幅器に対する入力がＭＵＸに対する入力に基づいて正しいか、およびＭＵＸ  ＩＮ＿ＣＴＲＬのすべての可能な組み合わせについてテストされたか、を捕捉することを含む。他の情報（たとえば、ＳＯＣ階層構造のトップレベルにおいて入力に供給される信号（図１４のＩＮ＿ＰＯＳ＿１、ＩＮ＿ＮＥＧ＿１、ＩＮ＿ＰＯＳ＿２、ＩＮ＿ＮＥＧ＿２）によってテストされ、ＳＯＣ＿ＰＡＤ＿ＲＩＮＧを通過してＡＭＰ＿ＣＯＲＥに至り（図１５のＩＮ＿ＰＯＳ＿１＿ＣＯＲＥ、ＩＮ＿ＮＥＧ＿１＿ＣＯＲＥ、ＩＮ＿ＰＯＳ＿２＿ＣＯＲＥ、およびＩＮ＿ＮＥＧ＿２＿ＣＯＲＥ）、ＭＵＸを通過してＩＮ＿ＣＴＲＬによって選択される増幅器入力（図１７のＡＭＰ＿ＩＮ＿ＰＯＳ、ＡＭＰ＿ＩＮ＿ＮＥＧ）が、増幅器の入力ダイナミックレンジを完全に行使するか否か）。階層構造のトップレベルの検証モニタは、増幅器入力（ＡＭＰ＿ＩＮ＿ＰＯＳ、ＡＭＰ＿ＩＮ＿ＮＥＧ）に直接的には接続できないということに留意せよ。このようにして、計装ポイントは、ＡＭＳＴ内で定義される基準と組み合わせて、増幅器の検証カバレッジの直接的な測定(direct measure)を提供する。このデータは、多数の個別シミュレーションおよび様々な入力条件にわたって累積的に計算することができる。
【００７５】
ネットリスト開始される（netlist initiated）第１の例において、図１８は、始点として、アナログまたは混合信号設計の事前に存在するネットリストを有する。このフローチャートは、電子的設計の有用な未テスト状態を特定するためのコンピュータプログラム製品１８００を示す。この方法は、少なくとも１つのアナログ部分から少なくとも部分的に構成される電子的設計の表現の、少なくとも１つのネットリストをパースすること１８１０と、少なくとも１つのネットリストに基づいて少なくとも１つの計装ポイントを決定すること１８１２と、少なくとも１つの計装ポイントに基づいて少なくとも１つの計装されたネットリストを生成すること１８１４と、少なくとも１つの計装されたネットリストを利用してアナログ検証カバレッジを決定すること１８１６とを備える。また、電子的設計は、アナログまたは混合信号であってもよい。また、この電子的設計は、電気機械的、電気化学的および電気生物学的システムの検証に拡張できるということが想像される。
【００７６】
図１９は、電子的設計の計装の第１の例１９００のステップ１（１８１２）より前に始まる追加ステップを示す。このケースでは、電子的設計は始点（initiation point）（そこからネットリストが作成され、追加で、仕様および検証履歴が初期データセットの一部である）である。この例は、追加で、電子的設計の少なくとも一部にアナログ部分を有する電子的設計のコンピュータ可読表現をコンピュータによって受信すること１９１０と、少なくとも１つの仕様に基づいて少なくとも１組の正当な状態を生成すること１９１２とを備えてもよい。第１の例は、また、電子的設計の検証カバレッジ履歴を少なくとも１つ受信すること１９１４を備えてもよく、このカバレッジ履歴は、関連する回路、共通の性質を共有する回路、等のためのものであってもよいということが想像される。この方法は、少なくとも１つの仕様、少なくとも１つの計装されたネットリスト、少なくとも１組の正当な状態、および、少なくとも１つの検証カバレッジ履歴、のうちの少なくとも１つに少なくとも部分的に基づいて、少なくとも１つの有用な未テスト状態を特定すること１９１６と、少なくとも１つの計装されたネットリスト、少なくとも１つの検証カバレッジ履歴、および、少なくとも１組の正当な状態、のうち少なくとも１つに少なくとも部分的に基づいて、検証完全性を評価すること１９１８とを備えてもよい。少なくとも１つの未テスト状態は、未だテストされていない正当な状態である。図６に戻り、電子的設計は、図内の各接続されたブロックを包含する。トップレベル階層構造はＡ１であり、次のレベルの階層構造はＢであり、これはＢ１およびＢ２を含み、Ｂ階層構造の下には、Ｃ１、Ｃ２およびＣ３を有するＣ階層構造が存在する。この具体例では、Ｂ１レベルおよびその下では、モデルはＳｃｈｅｍａｔｉｃモデルおよびＳｐｉｃｅモデルからなる。Ｂ２レベルでは、モデルはＳｃｈｅｍａｔｉｃ＿ｂｅｈａｖｉｏｒａｌモデルおよびＢｅｈａｖｉｏｒａｌ＿ｖａモデルを包含する。この例では、アナログテストモデルはＡ１、インスタンス１レベルに接続され、ネットリスト（テスト中のコンポーネントのそれぞれに接続する線）を介して接続される。
【００７７】
図２０は、電子的設計の図１９の計装の例の各ステップに追加される追加ステップ２０００を示し、各ステップはステップ１９１４と１９１６との間に対応することが想像されるが、フロー内の他の点で発生してもよい。これらの追加ステップは、少なくとも１つの検証カバレッジ履歴と少なくとも１つの入力ベクトルとを相関させること２０１０と、検証の評価された完全性を最大化させるために少なくとも１つの入力ベクトルの最小数を決定すること２０１２とを備えてもよい。相関は、入力特性および主張の、同一性、オーバーラップ、等の測度を含んでもよい。この方法は、さらに、電子的設計の表現の行動的レベルにおいて少なくとも１つの入力ベクトルの最小数をシミュレートすること２０１４と、行動的レベルシミュレーションにおいて測定出力を評価すること２０１６（評価は、少なくとも１組の正当な状態に少なくとも部分的に基づく）とを備えてもよい。この方法は、さらに、電子的設計の表現のトランジスタレベルにおいて少なくとも１つの入力ベクトルの最小数をシミュレートするステップ２０１８と、トランジスタレベルシミュレーションにおいて測定出力を相関させるステップ２０２０（相関は、行動的レベルシミュレーションにおける測定出力に少なくとも部分的に基づく）とを備えてもよい。この方法は、また、少なくとも１つの刺激および少なくとも１つの刺激主張のうち少なくとも一方を受信すること２０２２と、少なくとも１つの出力測定値および少なくとも１つの出力主張のうち少なくとも一方を受信すること２０２４と、少なくとも１つのシミュレーションのカバレッジ貢献を少なくとも１つ示すデータを補足するために少なくとも１つの計装されたネットリストを修正すること２０２６とを備えてもよい。行動的レベルシミュレーションは、トランジスタレベルおよび／または行動的レベルフォローオンテストに先行してもよい。
【００７８】
図２１は、アナログまたは混合信号電子的設計の表現で始まるという点において電子的設計開始される(electronic design initiated)第２の例を示す。この電子的設計開始される方法は、電子的設計の少なくとも一部にアナログ部分を有する電子的設計のコンピュータ可読表現をコンピュータによって受信するステップ２１１０と、電子的設計の表現に少なくとも部分的に基づいて少なくとも１つの計装されたネットリストを生成するステップ２１１２と、電子的設計の仕様を少なくとも１つ受信するステップ２１１４と、少なくとも１つの仕様に基づいて少なくとも１組の正当な状態を生成するステップ２１１６と、少なくとも１つの計装されたネットリストを利用してアナログ検証カバレッジを決定するステップ２１１８とを備える。未テスト状態は、未だテストされていない正当な状態である。図８に戻り、電子的設計は、ＰＭＩＣ＿ｔｅｓｔｂｅｎｃｈに続く各接続されたブロックを包含し、少なくとも１つのアナログテストハーネスモデルは、ＰＭＩＣ＿ｔｅｓｔｂｅｎｃｈとマークされたブロックに関する。このモデルに対するネットリストは、各接続（図８の接続線）を示す。この設計に関連付けられた階層構造は、ＬＤＯ、バッテリスーパーバイザおよび電圧基準の各ブロックは、階層構造においてＰＭＩＣブロックよりも低いということを示す。加えて、このモデルは主に設計の概略部分をレビューする。
【００７９】
図２２は、電子的設計開始される方法の追加ステップを示し、図２２の各ステップは図２１のステップ２１１２の後に対応することが想像され、しかしながら各ステップの順序および配置は異なり得る。電子的設計の計装の第２の例２２００は、追加で、少なくとも１つの計装されたネットリストをシミュレートするステップ２２１０と、シミュレーションに少なくとも部分的に基づいて電子的設計の検証カバレッジ履歴を少なくとも１つ生成するステップ２２１２と、少なくとも１つの仕様、少なくとも１つの計装されたネットリスト、少なくとも１組の正当な状態、および、少なくとも１つの検証カバレッジ履歴、のうち少なくとも１つに少なくとも部分的に基づいて、少なくとも１つの有用な未テスト状態を特定するステップ２２１４と、等の各ステップを備えてもよい。この方法は、さらに、検証カバレッジ履歴および少なくとも１組の正当な状態に少なくとも部分的に基づいて検証完全性を評価すること２２１６と、少なくとも１つの検証カバレッジ履歴および少なくとも１つの入力ベクトルを相関させること２２１８（少なくとも１つの計装されたネットリストのシミュレーションが行動的レベルにおいて実行されてもよい）と、有用な未テスト状態を最小化するために少なくとも１つの入力ベクトルの最小数を決定すること２２２０とを備えてもよい。この方法は、電子的設計の表現のトランジスタレベルおよび行動的レベルのうち少なくとも一方、少なくとも１つの入力ベクトルの最小数をシミュレートすること２２２２と、行動的レベルシミュレーションにおいて測定出力を評価すること２２２４（評価は少なくとも１組の正当な状態に少なくとも部分的に基づく）と、トランジスタレベルシミュレーションにおいて測定出力を相関させること２２２６（相関は行動的レベルシミュレーションにおける測定出力に少なくとも部分的に基づく）とを備えてもよい。
【００８０】
図２３は、アナログまたは混合信号電子的設計２３００の計装のコンピュータ実装される方法の別の電子的設計開始される例を示す。この方法はまた、検証の完全性の評価（仕様、計装されたネットリスト、正当な状態のリスト、およびその設計に対して実行された直前の検証カバレッジを利用したもの）を含む。この方法は、少なくとも１つのデジタル部分および少なくとも１つのアナログ部分を電子的設計の少なくとも一部に有する電子的設計のコンピュータ可読表現をコンピュータによって受信するステップ２３１０と、電子的設計の表現に少なくとも部分的に基づいて少なくとも１つの計装されたネットリストを生成するステップ２３１２と、電子的設計の仕様を少なくとも１つ受信するステップ２３１４とを備える。この方法は、また、少なくとも１つの仕様に基づいて少なくとも１組の正当な状態を生成すること２３１６と、電子的設計の検証カバレッジ履歴を少なくとも１つ受信すること２３１８と、少なくとも１つの仕様、少なくとも１つの計装されたネットリスト、少なくとも１組の正当な状態、および、少なくとも１つの検証カバレッジ履歴、のうち少なくとも１つに少なくとも部分的に基づいて、検証の完全性を評価すること２３２０とを備える。図９に戻り、電子的設計は、ＰＭＩＣ＿ｔｅｓｔｂｅｎｃｈに続く各接続されたブロックを包含し、少なくとも１つのアナログテストハーネスモデルは、ＰＭＩＣ＿ｔｅｓｔｂｅｎｃｈとマークされたブロックに関する。ネットリストは、各ブロックを接続する線によって接続性を示す。この設計に関連付けられた階層構造は、ＬＤＯ、バッテリスーパーバイザおよび電圧基準の各ブロックは、階層構造においてＰＭＩＣブロックよりも低いということを示す。このモデルは、モデルの、概略（ｓｃｈｅｍａｔｉｃ）、概略行動的（ｓｃｈｅｍａｔｉｃ  ｂｅｈａｖｉｏｒａｌ）およびｂｅｈａｖｉｏｒａｌ．ｖａの各態様をレビューする。大まかな電子的設計は図８と同じであるが、テストされる対象、階層構造、および接続性は異なる。
【００８１】
図２４は、図２３のステップ２３１８の後に発生し得る追加ステップを示す（ただし追加の正確なポイントは具体的な実装によって異なる場合がある）。電子的設計の計装の第３の例２４００は、追加で、少なくとも１つの検証カバレッジ履歴および少なくとも１つの入力ベクトルを相関させること２４１０と、検証の完全性を評価することを最大化するために少なくとも１つの入力ベクトルの最小数を決定すること２４１２と、電子的設計の表現の行動的レベルにおいて少なくとも１つの入力ベクトルの最小数をシミュレートすること２４１４と、等を備えてもよい。また、この方法は、行動的レベルシミュレーションにおいて測定出力を評価すること２４１６（評価は少なくとも１組の正当な状態に少なくとも部分的に基づく）と、電子的設計の表現のトランジスタレベルにおいて少なくとも１つの入力ベクトルの最小数をシミュレートすること２４１８と、トランジスタレベルシミュレーションにおいて測定出力を相関させること２４２０（相関は、行動的レベルシミュレーションにおける測定出力に少なくとも部分的に基づく）とを備えてもよい。
【００８２】
第４の例では、図２５が、電子的設計開始される行動的モデルを示す。コンピュータプログラム製品２５００は、過渡的でない(non-transitory)コンピュータ可用媒体２５１０上に実装される。過渡的でないコンピュータ可用媒体は、命令の列を記憶しており、この命令の列が少なくとも１つのプロセッサ２５１２によって実行されると、この命令の列はその少なくとも１つのプロセッサに電子的設計の有用な未テスト状態を特定する方法（少なくとも１つのアナログ部分から少なくとも部分的に構成される電子的設計の表現を受信するステップ２５１４と、電子的設計の表現に少なくとも部分的に基づいて少なくとも１つの計装されたネットリストを生成するステップ２５１６とを備える）を実行させる。このコンピュータプログラム製品は、さらに、電子的設計の仕様を少なくとも１つ受信するステップ２５１８と、少なくとも１つの仕様に基づいて少なくとも１組の正当な状態を生成するステップ２５２０と、電子的設計の表現の行動的レベルにおいて少なくとも１つの入力ベクトルの最小数において少なくとも１つの計装されたネットリストをシミュレートするステップ２５２２とを備える。このコンピュータプログラム製品は、さらに、シミュレーションに部分的に基づいて電子的設計の検証カバレッジ履歴を少なくとも１つ生成するステップ２５２４と、少なくとも１つの仕様、少なくとも１つの計装されたネットリスト、少なくとも１組の正当な状態、および、少なくとも１つの検証カバレッジ履歴、のうち少なくとも１つに少なくとも部分的に基づいて、有用な未テスト状態を特定するステップ２５２６を備える。図１０に戻り、電子的設計は、ＰＭＩＣ＿ｔｅｓｔｂｅｎｃｈに続く接続されたブロックのそれぞれを包含し、少なくとも１つのアナログテストハーネスモデルは、ＰＭＩＣ＿ｔｅｓｔｂｅｎｃｈとマークされたブロックに関する。この例では、ＰＭＩＣ階層構造と、ＬＤＯ、バッテリスーパーバイザおよび電圧基準の各階層構造とがレビューされる。最も高いレベルではＰＭＩＣが概略レベルでレビューされる（ＬＤＯがＢｅｈａｖｉｏｒａｌ＿ｖａｍｓ、バッテリスーパーバイザがＢｅｈａｖｉｏｒａｌ＿ｖａｍｓ、電圧基準がＢｅｈａｖｉｏｒａｌ＿ｖａレベル）。
【００８３】
図２６は、図２５のステップ２５１６の後のいずれかのポイントにおいて始まる追加のステップを示す。これらのステップは、追加で、行動的レベルシミュレーションにおいて測定出力を評価すること２６１０（評価は少なくとも１組の正当な状態に少なくとも部分的に基づく）と、少なくとも１つの検証カバレッジ履歴および少なくとも１つの入力ベクトルを相関させること２６１２と、電子的設計の表現のトランジスタレベルにおいて少なくとも１つの入力ベクトルの最小数をシミュレートすること２６１４とを備えてもよい。また、この例は、トランジスタレベルシミュレーションにおいて測定出力を相関させること２６１６（相関は、行動的レベルシミュレーションにおける測定出力に少なくとも部分的に基づく）と、少なくとも１つの出力測定値を受信し少なくとも１つの出力主張を受信すること２６１８と、少なくとも１つのアナログテストハーネスモデルを受信すること２６２０とを備えてもよい。
【００８４】
図２７は、電子的設計の計装のコンピュータ実装される方法の第５の例２７００として、ポストシミュレーション集約解析を示す。このケースでは、シミュレーションが実行された後であり、検証カバレッジの穴を探してレビューすることができるようにする情報のデータベースが収集されている。この解析方法は、電子的設計の少なくとも一部にアナログ部分を有する電子的設計の表現を受信するステップ２７１０と、電子的設計の仕様を少なくとも１つ受信するステップ２７１２と、少なくとも１つの仕様によって限定される少なくとも１組の正当な状態を生成するステップ２７１４と、電子的設計の検証履歴を少なくとも１つ受信するステップ２０１６と、少なくとも１つの仕様、少なくとも１組の正当な状態、および、少なくとも１つの検証履歴、のうち少なくとも１つに少なくとも部分的に基づいて有用な未テスト状態を特定するステップ２７１８とを備える。図８に戻り、電子的設計は、ＰＭＩＣ＿ｔｅｓｔｂｅｎｃｈに続く接続されたブロックのそれぞれを包含し、少なくとも１つのアナログテストハーネスモデルは、ＰＭＩＣ＿ｔｅｓｔｂｅｎｃｈとマークされたブロックに関する。そのモデルに対するネットリストは、各接続（図８の接続線）を示す。この設計に関連付けられた階層構造は、ＬＤＯ、バッテリスーパーバイザおよび電圧基準の各ブロックが、階層構造においてＰＭＩＣブロックより低いということを示す。さらに、このモデルは、主に設計の概略部分をレビューする。
【００８５】
図２８は、図２７のステップ２７１０の後の任意の時点で発生し得る追加ステップを示す。この例では、データ入力は変化してもよく、レビューされた状態と、いかなる追加の状態がレビューされるべきであるかとの、より広いレビュー(broader review)を許容してもよい。電子的設計の計装の第５の例２８００は、追加で、電子的設計の製造プロセスバリエーションを少なくとも１つ受信するステップ２８１０と、電子的設計の機能的バリエーションを少なくとも１つ受信するステップ２８１２（そこにおいて、少なくとも１つの製造プロセスバリエーションおよび少なくとも１つの機能的バリエーションに少なくとも部分的に基づく有用な未テスト状態の特定）と、少なくとも１つの刺激および少なくとも１つの刺激主張のうち少なくとも一方を受信するステップ２８１４と、等のステップを備えてもよい。この方法は、また、少なくとも１つの出力測定値および少なくとも１つの出力主張のうち少なくとも一方を受信すること２８１６と、少なくとも１つのアナログハーネスモデルを受信すること２８１８と、シミュレーションの出力を少なくとも１つ解析すること２８２０と、少なくとも１つの検証履歴および少なくとも１つの仕様の抽象化の少なくとも１レベルのうち少なくとも一方に少なくとも部分的に基づいて、検証状態カバレッジを特定すること２８２２とを備えてもよい。図９に戻り、電子的設計は、ＰＭＩＣ＿ｔｅｓｔｂｅｎｃｈに続く接続されたブロックのそれぞれを包含し、少なくとも１つのアナログテストハーネスモデルは、ＰＭＩＣ＿ｔｅｓｔｂｅｎｃｈとマークされたブロックに関する。ネットリストは接続性を示す（各ブロックを接続する線によって示される）。この設計に関連付けられた階層構造は、ＬＤＯ、バッテリスーパーバイザおよび電圧基準の各ブロックが、階層構造においてＰＭＩＣブロックより低いということを示す。このモデルは、モデルの概略（ｓｃｈｅｍａｔｉｃ）、概略行動的（ｓｃｈｅｍａｔｉｃ  ｂｅｈａｖｉｏｒａｌ）、およびｂｅｈａｖｉｏｒａｌ．ｖａの各態様(aspect)をレビューする。全体の電子的設計は図８と同じであるが、テストされる対象、階層構造および接続性が異なる。
【００８６】
第６の例では、図２９が、アナログまたは混合信号設計の検証カバレッジの製造包含レビュー（manufacturing inclusive review）を示す。この例では、仕様だけでなく、遭遇しやすい製造プロセスバリエーションと、製造後に遭遇するありそうな機能的バリエーションとが考慮される。この例では、コンピュータプログラム製品２９００は、過渡的でないコンピュータ可用媒体２９１０上に実装され、過渡的でないコンピュータ可用媒体は、命令の列を記憶しており、この命令の列がプロセッサ２９１２によって実行されると、この命令の列はそのプロセッサに電子的設計の有用な未テスト状態を特定する方法（少なくとも１つのアナログ部分から少なくとも部分的に構成される電子的設計の表現を受信するステップ２９１４と、電子的設計の仕様を少なくとも１つ受信するステップ２９１６と、電子的設計の少なくとも１つのアナログ部分の製造プロセスバリエーションを少なくとも１つ受信するステップ２９１８と、電子的設計の少なくとも１つのアナログ部分の機能的バリエーションを少なくとも１つ受信するステップ２９２０とを備える）を実行させる。また、このコンピュータプログラム製品は、少なくとも１つの仕様、少なくとも１つの製造プロセスバリエーション、および、少なくとも１つの機能的バリエーション、のうち１つによって限定された少なくとも１組の正当な状態を生成するステップ２９２２と、電子的設計の少なくとも１つのアナログ部分の検証履歴を少なくとも１つ受信するステップ２９２４と、少なくとも１つの仕様、少なくとも１組の正当な状態、少なくとも１つの製造プロセスバリエーション、少なくとも１つの機能的バリエーション、および、少なくとも１つの検証履歴、のうち少なくとも１つに少なくとも部分的に基づいて、有用な未テスト状態を特定するステップ２９２６とを備える。この製品は、また、少なくとも１つの検証履歴および少なくとも１組の正当な状態に少なくとも部分的に基づいて検証完全性を評価するステップを含んでもよい。
【００８７】
図３０は、電子的設計の有用な未テスト状態を特定するシステム図の例３０００を示す。ユーザの概略捕捉モジュール３０１０が、電子的設計の表現を捕捉する。捕捉された概略からネットリストが生成され（３０１２）、ネットリストはネットリストプロセッサ３０１４によって処理される。続いて、ネットリストは、ネットリストノードにおける入力および出力を独立に捕捉できるように計装され（３０１６）、トランジスタレベルシミュレータ３０１８によってトランジスタレベルにおいてシミュレーションが実行される。シミュレータからのデータはシミュレータ出力データベース３０２０に記憶される。シミュレーション出力データは、シミュレーションポストプロセッサ３０２２によってポストプロセッシングされ、これがデータをプロジェクトレベル階層構造テスト済み状態データベース３０２４へと供給する。カバレッジ解析およびモデルチェックモジュール３０２６は、このデータをプロジェクトレベル階層構造テスト済み状態データベースから受信する。シミュレータ出力データベースからのデータは、また、ユーザの概略捕捉および／または波形ビューワー３０２８に送られてもよい（これがデータを設計データベース３０３０に供給する）。設計データベースは、また、プロジェクトレベル階層構造テスト済み状態データベースとデータを送受信してもよい。
【００８８】
各例は、アナログの電子的テストに関するが、本方法、システムおよびコンピュータ可読媒体は、電気機械的、電気化学的、電気生物学的な検証およびテストに応用可能である。
【００８９】
本明細書では、本開示の様々な例示的な例を作成することおよび用いることが議論されるが、本開示は、広範囲の具体的コンテキストにおいて記述可能なコンセプトを提供するということが理解されるべきである。本開示は特定の例に関して示され記載されたが、本明細書を読んで理解した他の当業者は、均等物および修正を考えつくということが明白である。本開示は、そのような均等物および修正を含み、添付の特許請求の範囲によってのみ限定される。
【００９０】
方法および装置は、ローカルでまたは分散してまたはリモートで実施されてもよく、ステップのためのデータはローカルでまたはリモートで記憶してもよいということが理解されるべきである。明瞭さのため、応用可能な技術の当業者にはありふれた機能、コンポーネントおよびシステムの詳細な記載は含まれない。本開示の方法および装置は、１つ以上の利益（改良されたスピード効率、低減した計算時間、低減した再検証の数、等を含むが、これに限らない）を提供する。本開示は特定の例示的な例を参照して記載されたが、本明細書に記載されたものは限定的な意味に解釈されることを意図するものではない。たとえば、示され説明された例におけるステップのバリエーションまたは組み合わせが、本開示から逸脱しない範囲で具体的な場合に用いられてもよい。例示的な例の様々な修正および組み合わせと、他の利益および例とが、図面、明細書および特許請求の範囲への参照に基づいて、当業者には明白である。
【図１】
2017516224.tif 000003
【図２】
2017516224.tif 000004
【図３】
2017516224.tif 000005
【図４】
2017516224.tif 000006
【図５】
2017516224.tif 000007
【図６】
2017516224.tif 000008
【図７】
2017516224.tif 000009
【図８】
2017516224.tif 000010
【図９】
2017516224.tif 000011
【図１０】
2017516224.tif 000012
【図１１】
2017516224.tif 000013
【図１２】
2017516224.tif 000014
【図１３】
2017516224.tif 000015
【図１４】
2017516224.tif 000016
【図１５】
2017516224.tif 000017
【図１６】
2017516224.tif 000018
【図１７】
2017516224.tif 000019
【図１８】
2017516224.tif 000020
【図１９】
2017516224.tif 000021
【図２０】
2017516224.tif 000022
【図２１】
2017516224.tif 000023
【図２２】
2017516224.tif 000024
【図２３】
2017516224.tif 000025
【図２４】
2017516224.tif 000026
【図２５】
2017516224.tif 000027
【図２６】
2017516224.tif 000028
【図２７】
2017516224.tif 000029
【図２８】
2017516224.tif 000030
【図２９】
2017516224.tif 000031
【図３０】
2017516224.tif 000032
【国際調査報告】
2017516224.tif 000033